(57)【要約】【課題】多重セル無線通信システムにおいて端末のチャネル状態情報（Ｃｈａｎｎｅｌ  Ｓｔａｔｅ  Ｉｎｆｏｒｍａｔｉｏｎ、ＣＳＩ）を報告する方法及び装置を提供する。【解決手段】サービングセルから少なくとも一つのチャネル状態推定プロセス（Ｃｈａｎｎｅｌ  Ｓｔａｔｅ  Ｉｎｆｏｒｍａｔｉｏｎ  Ｐｒｏｃｅｓｓ、ＣＳＩ  ｐｒｏｃｅｓｓ）と連動した干渉測定リソース（Ｉｎｔｅｒｆｅｒｅｎｃｅ  Ｍｅａｓｕｒｅｍｅｎｔ  Ｒｅｓｏｕｒｃｅ、ＩＭＲ）に関する情報、及び干渉特性が互いに異なる複数の無線リソース集合に関する少なくとも一つのＣＳＩ測定情報を受信するステップと、少なくとも一つのＩＭＲ情報及び少なくとも一つのＣＳＩ測定情報による、特定無線リソース集合に関するチャネル状態情報を報告するステップとを有し、無線リソース集合は、システム負荷状態によって上りリンク−下りリンクが変更されるように定義され、互いに異なるチャネル状態推定プロセスと関連することを特徴とする。【選択図】図１１
2019080355.tif 000002
【特許請求の範囲】
【請求項１】
多重セル無線通信システムにおいて端末がチャネル状態情報（Ｃｈａｎｎｅｌ  Ｓｔａｔｅ  Ｉｎｆｏｒｍａｔｉｏｎ：ＣＳＩ）を報告する方法であって、
サービングセル（Ｓｅｒｖｉｎｇ  ｃｅｌｌ）から上位層シグナリングを介して少なくとも一つのチャネル状態推定プロセス（Ｃｈａｎｎｅｌ  Ｓｔａｔｅ  Ｉｎｆｏｒｍａｔｉｏｎ  Ｐｒｏｃｅｓｓ、ＣＳＩ ｐｒｏｃｅｓｓ）と連動した少なくとも一つの干渉測定リソース（Ｉｎｔｅｒｆｅｒｅｎｃｅ  Ｍｅａｓｕｒｅｍｅｎｔ  Ｒｅｓｏｕｒｃｅ、ＩＭＲ）に関する情報を含む前記ＣＳＩを報告するための設定を受信するステップと、
ＣＳＩを報告するための前記設定に基づいて前記少なくとも一つのＣＳＩプロセスの中の、上位層により設定された特定のＣＳＩプロセスに対応する前記ＣＳＩを報告するステップと、
を有し、
ＣＳＩ測定のための２つのサブフレームセットがＣＳＩを報告するための前記設定により設定された場合、前記ＣＳＩはリソースに限定されたＣＳＩ測定に基づいて報告され、
前記ＣＳＩのための干渉測定は、前記特定のＣＳＩプロセスのための前記２つのサブフレームセットの一つと連動した前記ＩＭＲの中の一つのＩＭＲを利用して導出されるように設定された、チャネル状態情報を報告する方法。
【請求項２】
前記チャネル状態情報（ＣＳＩ）は、ランク指示子（Ｒａｎｋ  Ｉｎｄｉｃａｔｏｒ）、チャネル品質指示子（Ｃｈａｎｎｅｌ  Ｑｕａｌｉｔｙ  Ｉｎｄｉｃａｔｏｒ）、プリコーディングマトリクスインデックス（Ｐｒｅｃｏｄｉｎｇ  Ｍａｔｒｉｘ  Ｉｎｄｅｘ）のうちの少なくとも一つを含む、請求項１に記載のチャネル状態情報を報告する方法。
【請求項３】
多重セル無線通信システムにおいてチャネル状態情報（Ｃｈａｎｎｅｌ  Ｓｔａｔｅ  Ｉｎｆｏｒｍａｔｉｏｎ、ＣＳＩ）を報告する端末であって、
無線周波数ユニット（Ｒａｄｉｏ  Ｆｒｅｑｕｅｎｃｙ  Ｕｎｉｔ）と、
プロセッサと、
を備え、
前記プロセッサは、サービングセルから上位層シグナリングを介して、少なくとも一つのチャネル状態推定プロセス（Ｃｈａｎｎｅｌ  Ｓｔａｔｅ  Ｉｎｆｏｒｍａｔｉｏｎ  Ｐｒｏｃｅｓｓ、ＣＳＩ  ｐｒｏｃｅｓｓ）と連動した少なくとも一つの干渉測定リソース（Ｉｎｔｅｒｆｅｒｅｎｃｅ  Ｍｅａｓｕｒｅｍｅｎｔ  Ｒｅｓｏｕｒｃｅ、ＩＭＲ）に関する情報を含む前記ＣＳＩを報告するための設定を受信し、ＣＳＩを報告するための前記設定に基づいた前記少なくとも一つＣＳＩプロセスの中の、上位層により設定された特定ＣＳＩプロセスに対応する前記ＣＳＩを報告するように構成され、
ＣＳＩ測定のための２つのサブフレームセットがＣＳＩを報告するための前記設定により設定された場合、前記ＣＳＩはリソースに限定されたＣＳＩ測定に基づいて報告され、
前記ＣＳＩのための干渉測定は、前記特定のＣＳＩプロセスのための前記２つのサブフレームセットの一つと連動した前記ＩＭＲの中の一つのＩＭＲを利用して導出されるように設定された、端末。
【発明の詳細な説明】
【技術分野】
【０００１】
本発明は、無線通信システムに関し、特に、多重セル無線通信システムにおいて無線リソース情報共有方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ：ＵＥ）、基地局（ｅＮｏｄｅＢ：ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ：ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ：ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ：ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ：ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥまで開発されているが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
本発明の目的は、無線通信システムにおいて無線リソース情報の共有方法及びそのための装置を提供することにある。
【０００８】
本発明で遂げようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【０００９】
上述した問題点を解決するための本発明の一様相である、多重セル無線通信システムにおいて端末のチャネル状態情報（Ｃｈａｎｎｅｌ  Ｓｔａｔｅ  Ｉｎｆｏｒｍａｔｉｏｎ：ＣＳＩ）を報告する方法は、サービングセルから少なくとも一つのチャネル状態推定プロセス（Ｃｈａｎｎｅｌ  Ｓｔａｔｅ  Ｉｎｆｏｒｍａｔｉｏｎ  Ｐｒｏｃｅｓｓ：ＣＳＩ  ｐｒｏｃｅｓｓ）と連動した干渉測定リソース（Ｉｎｔｅｒｆｅｒｅｎｃｅ  Ｍｅａｓｕｒｅｍｅｎｔ  Ｒｅｓｏｕｒｃｅ：ＩＭＲ）に関する情報、及び干渉特性が互いに異なる複数の無線リソース集合に関する少なくとも一つのＣＳＩ測定情報を受信するステップと、前記少なくとも一つのＩＭＲ情報及び前記少なくとも一つのＣＳＩ測定情報による、特定無線リソース集合に関するチャネル状態情報を報告するステップとを有し、前記無線リソース集合は、システム負荷状態によって上りリンク−下りリンクが変更されるように定義され、互いに異なるチャネル状態推定プロセスと連動することを特徴とする。
【００１０】
なお、前記ＩＭＲ情報は、前記無線リソース集合のそれぞれに対して適用されるオフセット（Ｏｆｆｓｅｔ）をさらに含むことを特徴とする。
【００１１】
なお、前記チャネル状態情報は、ランク指示子（Ｒａｎｋ  Ｉｎｄｉｃａｔｏｒ）、チャネル品質指示子（Ｃｈａｎｎｅｌ  Ｑｕａｌｉｔｙ  Ｉｎｄｉｃａｔｏｒ）、プリコーディングマトリクスインデックス（Ｐｒｅｃｏｄｉｎｇ  Ｍａｔｒｉｘ  Ｉｎｄｅｘ）のうち少なくとも一つを含むことを特徴とする。
【００１２】
なお、前記少なくとも一つのチャネル状態推定プロセスは、前記少なくとも一つのチャネル状態推定プロセスの個数（Ｍ、Ｍは整数）よりも少ない所定の個数（Ｎ、Ｎは整数、Ｍ＞Ｎ）と見なされてチャネル状態情報が測定されるように設定されたことを特徴とする。
【００１３】
なお、前記チャネル状態情報は、基準上りリンク−下りリンク設定（Ｒｅｆｅｒｅｎｃｅ  Ｕｐｌｉｎｋ−Ｄｏｗｎｌｉｎｋ  Ｃｏｎｆｉｇｕｒａｔｉｏｎ）に基づいて導出されたことを特徴とする。
【００１４】
なお、前記チャネル状態推定プロセスの設定のための信号タイプ（ｓｉｇｎａｌ  ｔｙｐｅ）と前記無線リソース集合の用途変更のための信号タイプ（ｓｉｇｎａｌ  ｔｙｐｅ）とが異なることを特徴とする。
【００１５】
なお、前記チャネル状態推定プロセスは、ＲＲＣシグナリングによって設定され、前記無線リソース集合の用途変更のための信号は、ＭＡＣシグナル又は物理的チャネルシグナルによって設定されることを特徴とする。
【００１６】
なお、前記チャネル状態推定プロセスの設定完了時点と前記無線リソース集合の用途変更のための設定完了時点とが異なることを特徴とする。
【００１７】
上述した問題点を解決するための本発明の他の様相である、多重セル無線通信システムにおいてチャネル状態情報（Ｃｈａｎｎｅｌ  Ｓｔａｔｅ  Ｉｎｆｏｒｍａｔｉｏｎ、ＣＳＩ）を報告する端末は、無線周波数ユニット（Ｒａｄｉｏ  Ｆｒｅｑｕｅｎｃｙ  Ｕｎｉｔ）と、プロセッサ（ｐｒｏｃｅｓｓｏｒ）とを備え、前記プロセッサは、サービングセル（Ｓｅｒｖｉｎｇ  ｃｅｌｌ）から少なくとも一つのチャネル状態推定プロセス（Ｃｈａｎｎｅｌ  Ｓｔａｔｅ  Ｉｎｆｏｒｍａｔｉｏｎ  Ｐｒｏｃｅｓｓ、ＣＳＩ  ｐｒｏｃｅｓｓ）と連動した干渉測定リソース（Ｉｎｔｅｒｆｅｒｅｎｃｅ  Ｍｅａｓｕｒｅｍｅｎｔ  Ｒｅｓｏｕｒｃｅ：ＩＭＲ）に関する情報、及び干渉特性が互いに異なる複数の無線リソース集合に関する少なくとも一つのＣＳＩ測定情報を受信し、前記少なくとも一つのＩＭＲ情報及び前記少なくとも一つのＣＳＩ測定情報による、特定無線リソース集合に関するチャネル状態情報を報告するように構成され、前記無線リソース集合は、システム負荷状態によって上りリンク−下りリンクが変更されるように定義され、互いに異なるチャネル状態推定プロセスと連動することを特徴とする。
【発明の効果】
【００１８】
本発明によれば、無線通信システムにおいてシステム負荷によって無線リソースを動的に変更する場合に、該当の無線リソースに関する情報を複数のセルが共有することによって効率的な通信を行うことができる。
【００１９】
本発明で得られる効果は、以上で言及した効果に制限されず、言及していない他の効果は、以下の記載から、本発明の属する技術の分野における通常の知識を有する者には明確に理解されるであろう。
【図面の簡単な説明】
【００２０】
【図１】無線通信システムの一例としてＥ−ＵＭＴＳネットワーク構造を示す。
【図２】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す。
【図３】３ＧＰＰ ＬＴＥシステムに用いられる物理チャネル及びそれらを用いた一般的な信号伝送方法を示す。
【図４】ＬＴＥシステムで用いられる無線フレームの構造を示す。
【図５】下りリンクスロットのリソースグリッド（ｒｅｓｏｕｒｃｅ  ｇｒｉｄ）を示す。
【図６】下りリンクサブフレームの構造を例示する。
【図７】ＬＴＥで用いられる上りリンクサブフレームの構造を示す。
【図８】ＣｏＭＰを行う一例を示す。
【図９】ＴＤＤシステム環境下で、既存の上りリンクリソースの一部を下りリンク通信目的に変更して用いる場合を示す。
【図１０】ＴＤＤシステム環境下でそれぞれのセルが自身のシステム負荷状態によって既存無線リソースの用途を動的に変更する場合、外部から受信される干渉特性がサブフレーム（或いは、サブフレーム集合）別に異なる場合を示す。
【図１１】本発明によって、干渉特性が異なるそれぞれの無線リソース集合に対して独立したチャネル状態推定（或いは、干渉推定）及び報告を行う実施例を示す。
【図１２】本発明によって、干渉特性が異なるそれぞれの無線リソース集合に対して独立したチャネル状態推定（或いは、干渉推定）及び報告を行う実施例を示す。
【図１３】本発明によって、干渉特性が異なるそれぞれの無線リソース集合に対して独立したチャネル状態推定（或いは、干渉推定）及び報告を行う実施例を示す。
【図１４】本発明によって、干渉特性が異なるそれぞれの無線リソース集合に対して独立したチャネル状態推定（或いは、干渉推定）及び報告を行う実施例を示す。
【図１５】チャネル状態推定プロセス（又は／及びＲｅｓｔｒｉｃｔｅｄ ＣＳＩ Ｍｅａｓｕｒｅｍｅｎｔ）の（再）設定に用いられるシグナルタイプと無線リソース用途の動的（再）変更に用いられるシグナルタイプとが同一でない場合を示す。
【図１６】本発明の実施例に係るチャネル状態情報（ＣＳＩ）報告のためのリソース（Ｒｅｓｏｕｒｃｅ）の動的変更（Ｄｙｎａｍｉｃ  Ｃｈａｎｇｅ）動作を示す。
【図１７】本発明の実施例に係るチャネル状態情報（ＣＳＩ）報告のためのリソース（Ｒｅｓｏｕｒｃｅ）の動的変更（Ｄｙｎａｍｉｃ  Ｃｈａｎｇｅ）動作を示す。
【図１８】利用可能な上りリンクサブフレームのみを再インデクシング（Ｒｅ−ｉｎｄｅｘｉｎｇ）してＲＩ情報、ＰＭＩ情報、ＣＱＩ情報などのチャネル状態情報報告時点を算出する場合を示す。
【図１９】本発明の干渉測定のためのリソースの有効性を判断する実施例を示す。
【図２０】本発明の実施例に適用可能な基地局及びユーザ機器を例示する。
【発明を実施するための形態】
【００２１】
本発明に関する理解を助けるために詳細な説明の一部として含まれる添付の図面は、本発明に関する実施例を提供し、詳細な説明と共に本発明の技術的思想を説明する。
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００２２】
説明を明確にするために、３ＧＰＰ ＬＴＥ／ＬＴＥ−Ａを中心に記述するが、本発明の技術的思想がこれに制限されるわけではない。また、以下の説明で使われる特定の用語は、本発明の理解を助けるために提供されるものであり、このような特定の用語の使用は、本発明の技術的思想から逸脱しない範囲で他の形態に変更することもできる。
【００２３】
図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ：ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００２４】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２５】
第２層の媒体接続制御（Ｍｅｄｉｕｍ  Ａｃｃｅｓｓ  Ｃｏｎｔｒｏｌ：ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ：ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために不要の制御情報を減らすヘッダー圧縮（Ｈｅａｄｅｒ  Ｃｏｍｐｒｅｓｓｉｏｎ）機能を果たす。
【００２６】
第３層の最下部に位置している無線リソース制御（Ｒａｄｉｏ  Ｒｅｓｏｕｒｃｅ  Ｃｏｎｔｒｏｌ：ＲＲＣ）層は、コントロールプレーンでのみ定義される。ＲＲＣ層は、無線ベアラー（Ｒａｄｉｏ  Ｂｅａｒｅｒ：ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２７】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００２８】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２９】
図３は、３ＧＰＰ ＬＴＥシステムに用いられる物理チャネル及びそれらを用いた一般的な信号送信方法を説明するための図である。
【００３０】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ：Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ：Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ：ＤＬ ＲＳ）を受信して下りリンクチャネル状態を確認することができる。
【００３１】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ：ＰＤＳＣＨ）を受信し、より具体的なシステム情報を取得することができる。
【００３２】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３３】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ：ＵＣＩ）という。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ ＡＣＫ／ＮＡＣＫは簡単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要求／指示に応じて、ＰＵＳＣＨを介してＵＣＩを非周期的に送信することもできる。
【００３４】
図４は、ＬＴＥシステムで用いられる無線フレームの構造を例示する図である。
【００３５】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３６】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレーム）を送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割当て単位としてのリソースブロック（ＲＢ）は、１スロットで複数個の連続した副搬送波（ｓｕｂｃａｒｒｉｅｒ）を含むことができる。
【００３７】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって変更可能とすることができる。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１ ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００３８】
標準ＣＰが用いられる場合、１スロットは７ ＯＦＤＭシンボルを含むため、１サブフレームは１４ ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３９】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ：ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００４０】
特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００４１】
上記の特別サブフレームに関して現在３ＧＰＰ標準文書では下記の表１のように設定を定義している。表１で、ＴＳ＝１／（１５０００×２０４８）の場合に、ＤｗＰＴＳとＵｐＰＴＳを示しており、残りの領域が保護区間として設定される。
【００４２】
【表１】
2019080355.tif 000003
【００４３】
一方、タイプ２無線フレームの構造、すなわち、ＴＤＤシステムにおいて上りリンク／下りリンクサブフレーム設定（ＵＬ／ＤＬ  ｃｏｎｆｉｇｕｒａｔｉｏｎ）は、下記の表２のとおりである。
【００４４】
【表２】
2019080355.tif 000004
【００４５】
上記の表２で、Ｄは下りリンクサブフレーム、Ｕは上りリンクサブフレームを表し、Ｓは特別サブフレームを意味する。また、上記の表２では、それぞれの上りリンク／下りリンクサブフレーム設定において下りリンク−上りリンクスイッチング周期も表している。
【００４６】
上述した無線フレームの構造は例示に過ぎず、無線フレームに含まれるサブフレームの数、サブフレームに含まれるスロットの数、又はスロットに含まれるシンボルの数は様々に変更されてもよい。
【００４７】
図５は、下りリンクスロットのリソースグリッド（ｒｅｓｏｕｒｃｅ  ｇｒｉｄ）を例示する。
【００４８】
図５を参照すると、下りリンクスロットは、時間領域でＮＤＬｓｙｍｂＯＦＤＭシンボルを含み、周波数領域でＮＤＬＲＢリソースブロックを含む。それぞれのリソースブロックがＮＲＢｓｃ副搬送波を含むので、下りリンクスロットは、周波数領域でＮＤＬＲＢ×ＮＲＢｓｃ副搬送波を含む。図５は、下りリンクスロットが７ ＯＦＤＭシンボルを含み、リソースブロックが１２副搬送波を含むと例示しているが、必ずしもこれに制限されない。例えば、下りリンクスロットに含まれるＯＦＤＭシンボルの個数はサイクリックプレフィックス（Ｃｙｃｌｉｃ  Ｐｒｅｆｉｘ：ＣＰ）の長さによって変形されてもよい。
【００４９】
リソースグリッド上の各要素をリソース要素（Ｒｅｓｏｕｒｃｅ  Ｅｌｅｍｅｎｔ；ＲＥ）といい、１つのリソース要素は、１つのＯＦＤＭシンボルインデックス及び１つの副搬送波インデックスで示される。１つのＲＢは、ＮＤＬｓｙｍｂ×ＮＲＢｓｃリソース要素で構成されている。下りリンクスロットに含まれるリソースブロックの数（ＮＤＬＲＢ）は、セルで設定される下りリンク送信帯域幅（ｂａｎｄｗｉｄｔｈ）に従属する。
【００５０】
図６は、下りリンクサブフレームの構造を例示する。
【００５１】
図６を参照すると、サブフレームの第１スロットにおいて先頭における最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＨＩＣＨは、上りリンク送信に対する応答としてＨＡＲＱ ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５２】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩは、ユーザ機器又はユーザ機器グループのためのリソース割当て情報及び他の制御情報を含む。例えば、ＤＣＩは、上りリンク／下りリンクスケジューリング情報、上りリンク送信（Ｔｘ）電力制御命令などを含む。
【００５３】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の送信フォーマット及びリソース割当て情報、上りリンク共有チャネル（ｕｐｌｉｎｋ  ｓｈａｒｅｄ  ｃｈａｎｎｅｌ：ＵＬ−ＳＣＨ）の送信フォーマット及びリソース割当て情報、ページングチャネル（ｐａｇｉｎｇ  ｃｈａｎｎｅｌ：ＰＣＨ）上のページング情報、ＤＬ−ＳＣＨ上のシステム情報、ＰＤＳＣＨ上で送信されるランダムアクセス応答のような上位層制御メッセージのリソース割当て情報、ユーザ機器グループ内の個別ユーザ機器に対する送信電力制御命令セット、送信電力制御命令、ＶｏＩＰ（Ｖｏｉｃｅ  ｏｖｅｒ  ＩＰ）の活性化指示情報などを運ぶ。複数のＰＤＣＣＨが制御領域内で送信されてもよく、ユーザ機器は、複数のＰＤＣＣＨをモニタすることができる。ＰＤＣＣＨは、１つ又は複数の連続した制御チャネル要素（ｃｏｎｔｒｏｌ  ｃｈａｎｎｅｌ  ｅｌｅｍｅｎｔ：ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割当てユニットである。ＣＣＥは、複数のリソース要素グループ（ｒｅｓｏｕｒｃｅ  ｅｌｅｍｅｎｔ  ｇｒｏｕｐ：ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクされる。例えば、ＰＤＣＣＨが特定ユーザ機器のためのものであれば、該当のユーザ機器の識別子（例、ｃｅｌｌ−ＲＮＴＩ（Ｃ−ＲＮＴＩ））でＣＲＣをマスクすることができる。ＰＤＣＣＨがページングメッセージのためのものであれば、ページング識別子（例、ｐａｇｉｎｇ−ＲＮＴＩ（Ｐ−ＲＮＴＩ））でＣＲＣをマスクすることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＢ））のためのものであれば、ＳＩ−ＲＮＴＩ（ｓｙｓｔｅｍ  Ｉｎｆｏｒｍａｔｉｏｎ  ＲＮＴＩ）でＣＲＣをマスクすることができる。ＰＤＣＣＨがランダムアクセス応答のためのものであれば、ＲＡ−ＲＮＴＩ（ｒａｎｄｏｍ  ａｃｃｅｓｓ−ＲＮＴＩ）でＣＲＣをマスクすることができる。
【００５４】
図７は、ＬＴＥで用いられる上りリンクサブフレームの構造を例示する。
【００５５】
図７を参照すると、上りリンクサブフレームは複数（例、２個）のスロットを含む。スロットはＣＰ長によって互いに異なる数のＳＣ−ＦＤＭＡシンボルを含むことができる。上りリンクサブフレームは、周波数領域でデータ領域と制御領域と区別される。データ領域はＰＵＳＣＨを含み、音声などのデータ信号を送信するために用いられる。制御領域はＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を送信するために用いられる。ＰＵＣＣＨは、周波数軸においてデータ領域の両端部に位置しているＲＢ対（ＲＢ  ｐａｉｒ）を含み、スロットを境界にホップする。
【００５６】
ＰＵＣＣＨは、次の制御情報を送信するために用いることができる。
【００５７】
−  ＳＲ（Ｓｃｈｅｄｕｌｉｎｇ  Ｒｅｑｕｅｓｔ）：ＵＬ−ＳＣＨリソースを要求するために用いる情報である。ＯＯＫ（Ｏｎ−Ｏｆｆ  Ｋｅｙｉｎｇ）方式で送信される。
【００５８】
−  ＨＡＲＱ ＡＣＫ／ＮＡＣＫ：ＰＤＳＣＨ上の下りリンクデータパケットに対する応答信号である。下りリンクデータパケットが成功的に受信されたか否かを示す。単一の下りリンクコードワードに対する応答として１ビットのＡＣＫ／ＮＡＣＫが送信され、２つの下りリンクコードワードに対する応答として２ビットのＡＣＫ／ＮＡＣＫが送信される。
【００５９】
−  ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩは、ＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ Ｔｙｐｅ  Ｉｎｄｉｃａｔｏｒ）などを含む。サブフレーム当たり２０ビットが用いられる。
【００６０】
ユーザ機器がサブフレームで送信できる制御情報（ＵＣＩ）の量は、制御情報送信に利用可能なＳＣ−ＦＤＭＡの個数に依存する。制御情報送信に利用可能なＳＣ−ＦＤＭＡは、サブフレームにおいて参照信号送信のためのＳＣ−ＦＤＭＡシンボル除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームでは、サブフレームの最後のＳＣ−ＦＤＭＡシンボルも除く。参照信号は、ＰＵＣＣＨのコヒーレント検出に用いられる。
【００６１】
以下では、ＣｏＭＰ（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ）について説明する。
【００６２】
ＬＴＥ−Ａ以降のシステムは、複数のセル間の協調を可能にしてシステムの性能を上げる方式を導入しようとしている。このような方式を、協調多重ポイント送信／受信（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ：ＣｏＭＰ）という。ＣｏＭＰは、特定端末と基地局、アクセス（Ａｃｃｅｓｓ）ポイント或いはセル（Ｃｅｌｌ）との通信をより円滑にするために、２個以上の基地局、アクセスポイント或いはセルが互いに協調して端末と通信する方式を意味する。本発明で、基地局、アクセス、或いはセルは同じ意味で使われてもよい。
【００６３】
一般に、周波数再使用因子（ｆｒｅｑｕｅｎｃｙ  ｒｅｕｓｅ  ｆａｃｔｏｒ）が１である多重セル環境で、セル−間干渉（Ｉｎｔｅｒ−Ｃｅｌｌ  Ｉｎｔｅｒｆｅｒｅｎｃｅ：ＩＣＩ）によって、セル−境界に位置している端末の性能と平均セクター収率が減少する。このようなＩＣＩを低減するために、既存のＬＴＥシステムでは、端末特定電力制御を用いた部分周波数再使用（ｆｒａｃｔｉｏｎａｌ  ｆｒｅｑｕｅｎｃｙ  ｒｅｕｓｅ：ＦＦＲ）のような単純な受動的な技法を用いて、干渉によって制限を受けた環境でセル−境界に位置している端末に適切な収率性能を有させる方法が適用されている。しかしながら、セル当たり周波数リソース使用を減少するよりは、ＩＣＩを低減したり、ＩＣＩを端末の希望する信号として再利用したりする方が好ましいだろう。このような目的を達成するために、ＣｏＭＰ送信技法を適用することができる。
【００６４】
図８は、ＣｏＭＰを行う一例を示す。図８を参照すると、無線通信システムは、ＣｏＭＰを行う複数の基地局ＢＳ１，ＢＳ２，ＢＳ３と端末とを含む。ＣｏＭＰを行う複数の基地局ＢＳ１，ＢＳ２，ＢＳ３は互いに協調して端末にデータを效率的に送信することができる。ＣｏＭＰは、ＣｏＭＰを行う各基地局からデータ送信をするか否かによって、次の２つの技法に大別することができる。
【００６５】
−  ジョイントプロセシング（Ｊｏｉｎｔ  Ｐｒｏｃｅｓｓｉｎｇ）（ＣｏＭＰ  Ｊｏｉｎｔ  Ｐｒｏｃｅｓｓｉｎｇ：ＣｏＭＰ−ＪＰ）
−  協調的スケジューリング／ビームフォーミング（ＣｏＭＰ−ＣＳ／ＣＢ、ＣｏＭＰ  Ｃｏｏｐｅｒａｔｉｖｅ  ｓｃｈｅｄｕｌｉｎｇ：ＣｏＭＰ−ＣＳ）。
【００６６】
ＣｏＭＰ−ＪＰの場合、一つの端末へのデータが、ＣｏＭＰを行う各基地局から同時に送信され、端末は、各基地局からの信号を結合して受信性能を向上させる。すなわち、ＣｏＭＰ−ＪＰ技法は、ＣｏＭＰ協調単位のそれぞれのポイント（基地局）でデータを用いることができる。ＣｏＭＰ協調単位は、協調送信技法に用いられる基地局の集合を意味する。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類することができる。
【００６７】
ジョイント送信技法とは、ＰＤＳＣＨが一度に複数個のポイント（ＣｏＭＰ協調単位の一部又は全部）から送信される技法をいう。すなわち、単一の端末に送信されるデータを複数個の送信ポイントから同時に送信することができる。ジョイント送信技法によれば、コヒーレントに（ｃｏｈｅｒｅｎｔｌｙ）又はノンーコヒーレントに（ｎｏｎ−ｃｏｈｅｒｅｎｔｌｙ）受信信号の品質を向上させることができ、また、他の端末に対する干渉を能動的に消去することができる。
【００６８】
動的セル選択技法とは、ＰＤＳＣＨが一度に（ＣｏＭＰ協調単位の）一つのポイントから送信される技法をいう。すなわち、特定時点で単一の端末に送信されるデータは、一つのポイントから送信され、その時点に、協調単位における他のポイントは当該端末にデータを送信しない。当該端末にデータを送信するポイントは、動的に選択することができる。
【００６９】
一方、ＣｏＭＰ−ＣＳの場合、一つの端末へのデータは、任意の瞬間に一つの基地局から送信され、他の基地局による干渉が最小化するようにスケジューリング或いはビームフォーミング（Ｂｅａｍｆｏｒｍｉｎｇ）がなされる。すなわち、ＣｏＭＰ−ＣＳ／ＣＢ技法によれば、ＣｏＭＰ協調単位が単一端末に対するデータ送信のビームフォーミングを協調的に行うことができる。ここで、データはサービングセルでのみ送信されるが、ユーザスケジューリング／ビームフォーミングは、当該ＣｏＭＰ協調単位のセルの調整によって決定することができる。
【００７０】
一方、上りリンクにおいて、調整（ｃｏｏｒｄｉｎａｔｅｄ）多重−ポイント受信は、地理的に離れている複数個のポイントの調整によって送信された信号を受信することを意味する。上りリンクの場合に適用可能なＣｏＭＰ技法は、ジョイント受信（Ｊｏｉｎｔ  Ｒｅｃｅｐｔｉｏｎ：ＪＲ）及び調整スケジューリング／ビームフォーミング（ｃｏｏｒｄｉｎａｔｅｄ  ｓｃｈｅｄｕｌｉｎｇ／ｂｅａｍｆｏｒｍｉｎｇ：ＣＳ／ＣＢ）とに分類することができる。
【００７１】
ＪＲ技法は、ＰＵＳＣＨを介して送信された信号が複数個の受信ポイントで受信されることを意味し、ＣＳ／ＣＢ技法は、ＰＵＳＣＨが一つのポイントでのみ受信されるが、ユーザスケジューリング／ビームフォーミングはＣｏＭＰ協調単位のセルの調整によって決定されることを意味する。
【００７２】
以下では、複数のセル間の干渉について説明する。
【００７３】
２つの基地局（例えば、基地局＃１及び基地局＃２）が隣接して配置される場合のように、２つの基地局のカバレッジの一部が重なる場合、一つの基地局からサービスを受ける端末に対して、他の基地局からの強い下りリンク信号が干渉を誘発しうる。このようにセル間干渉が発生する場合に、２つの基地局間にセル間協調信号方式を用いてセル間干渉を低減させることができる。以下に説明する本発明の様々な実施例において、互いに干渉する２つの基地局間に信号送受信が円滑である場合を仮定する。例えば、２つの基地局間に送信帯域幅や時間遅延などの送信条件が良好な有／無線リンク（例えば、バックホールリンク又はＵｎインターフェース）が存在し、基地局間における協調信号の送受信に対する信頼性が高い場合を仮定する。また、２つの基地局間の時間同期（ｔｉｍｅ  ｓｙｎｃｈｒｏｎｉｚａｔｉｏｎ）が許容可能な誤差範囲内で一致したり（例えば、互いに干渉する２つの基地局の下りリンクサブフレームの境界が整列（ａｌｉｇｎ）されている場合）、両基地局間のサブフレーム境界の差（ｏｆｆｓｅｔ）を相互明確に認識している場合を仮定することができる。
【００７４】
図８を再び参照すると、基地局＃１（ＢＳ＃１）は、広い領域を高い送信電力でサービスするマクロ基地局とし、基地局＃２（ＢＳ＃２）は、狭い領域を低い送信電力でサービスするマイクロ基地局（例えば、ピコ基地局）としている。図８で例示するように、基地局＃２のセル境界地域に位置して基地局＃２からサービスを受ける端末（ＵＥ）が基地局＃１から強い干渉を受ける場合、適切なセル間協調無しでは効果的に通信し難い。
【００７５】
特に、低い電力を有するマイクロ基地局である基地局＃２に多数の端末を接続させることで、マクロ基地局である基地局＃１がサービスを提供する負荷（ｌｏａｄ）を分散させようとする場合に、上記のようなセル間干渉の状況が発生する可能性が高い。例えば、端末がサービング基地局を選定するとき、マイクロ基地局からの受信電力には所定の調整値（バイアス（ｂｉａｓ）値）を加え、マクロ基地局からの受信電力には調整値を加えない方式で、それぞれの基地局からの下りリンク信号の受信電力を計算及び比較することができ、その結果、端末は、最も高い下りリンク受信電力を提供する基地局をサービング基地局として選定することができる。これによって、より多数の端末をマイクロ基地局に接続させることができる。端末が実際に受信する下りリンク信号強度は、マクロ基地局からの信号がより遥かに強いにもかかわらず、マイクロ基地局がサービング基地局として選ばれてもよく、マイクロ基地局に接続した端末はマクロ基地局からの強い干渉を経験しうる。このような場合、マイクロ基地局の境界に位置している端末は、別のセル間協調が提供されないと、マクロ基地局からの強い干渉によって正しい動作を行い難くなる。
【００７６】
セル間干渉が存在する場合にも効果的な動作を行うために、セル間干渉が互いに発生する２つの基地局間に適切な協調が行わなければならず、このような協調動作を可能にする信号を両基地局間のリンクを介して送受信することができる。この場合、セル間干渉がマクロ基地局とマイクロ基地局間に発生する場合には、マクロ基地局がセル間協調動作を制御し、マイクロ基地局は、マクロ基地局が知らせる協調信号によって適切な動作を行うこともできる。
【００７７】
上記のようなセル間干渉発生状況は単なる例示に過ぎず、本発明で説明する実施例は、上記と異なる状況でセル間干渉が発生する場合（例えば、ＣＳＧ方式のＨｅＮＢとＯＳＧ方式のマクロ基地局間にセル間干渉が発生する場合、マイクロ基地局が干渉を誘発してマクロ基地局が干渉を受ける場合、又はマイクロ基地局間に又はマクロ基地局間にセル間干渉が存在する場合など）にも同一に適用することができる。
【００７８】
本発明では、前述した内容に基づき、無線リソースの用途をシステムの負荷状態によって動的に変更する場合にチャネル状態情報を効率的に推定及び報告する方法を提案する。
【００７９】
以下では、説明の便宜のために、３ＧＰＰ ＬＴＥシステムに基づいて本発明を説明する。しかし、本発明が適用されるシステムの範囲は、３ＧＰＰ ＬＴＥシステム以外のシステムにも拡張することができる。本発明の実施例は、搬送波集成技法（Ｃａｒｒｉｅｒ  Ａｇｇｒｅｇａｔｉｏｎ：ＣＡ）が適用された環境下で、特定セル（Ｃｅｌｌ）或いは特定コンポーネントキャリア（Ｃｏｍｐｏｎｅｎｔ  Ｃａｒｒｉｅｒ：ＣＣ）上のリソースをシステムの負荷状態によって動的に変更する場合にも拡張して適用することができる。また、本発明の実施例は、ＴＤＤシステム或いはＦＤＤシステムにおいて無線リソースの用途を動的に変更する場合にも拡張して適用することができる。
【００８０】
図９は、ＴＤＤシステム環境下で特定セルがシステムの下りリンク負荷量が増加することから、既存の上りリンクリソース（すなわち、ＵＬ ＳＦ）の一部を下りリンク通信目的に変更して用いる場合を示す。図９では、ＳＩＢによって設定された上りリンク−下りリンク設定（ＵＬ／ＤＬ  Ｃｏｎｆｉｇｕｒａｔｉｏｎ）を上りリンク−下りリンク＃１（すなわち、ＤＳＵＵＤＤＳＵＵＤ）と仮定し、事前に定義されたシグナル（例えば、物理／上位層シグナル或いはシステム情報シグナル）から、既存のＵＬ ＳＦ ＃（ｎ＋３）、ＵＬ ＳＦ ＃（ｎ＋８）が下りリンク通信の用途に変更されて用いられることがわかる。
【００８１】
図１０は、ＴＤＤシステム環境下でそれぞれのセルが自身のシステム負荷状態によって既存の無線リソースの用途を動的に変更する場合、特定セルに対して同一の下りリンク通信方向に用いられるリソースであっても、外部から受信される干渉特性がサブフレーム（或いは、サブフレーム集合）別に異なる場合を示す。ここで、説明の便宜のために、２つのセル（すなわち、セル＃Ａ、セル＃Ｂ）がネットワーク上に存在する状況を仮定し、また、個別セルのＳＩＢによって設定された上りリンク−下りリンク設定（ＵＬ／ＤＬ  Ｃｏｎｆｉｇｕｒａｔｉｏｎ）を、上りリンク−下りリンク＃０（すなわち、ＤＳＵＵＵＤＳＵＵＵ）と仮定した。図１０では、セル（Ｃｅｌｌ）＃Ａが、システムの下りリンク負荷量が増加することから、既存のＵＬ ＳＦ ＃（ｎ＋３）、ＵＬ ＳＦ ＃（ｎ＋４）、ＵＬ ＳＦ ＃（ｎ＋８）、ＵＬ ＳＦ ＃（ｎ＋９）を下りリンク通信目的に変更して用いると仮定した。
【００８２】
したがって、セル＃Ａに対して下りリンクリソース上に受信される干渉の種類は、同一の通信方向のリソース（すなわち、ＳＦ ＃ｎ、ＳＦ ＃（ｎ＋１）、ＳＦ ＃（ｎ＋５）、ＳＦ ＃（ｎ＋６））間の干渉と、互いに異なる通信方向のリソース（すなわち、ＳＦ ＃（ｎ＋３）、ＳＦ ＃（ｎ＋４）、ＳＦ ＃（ｎ＋８）、ＳＦ ＃（ｎ＋９））間の干渉とに区別することができる。さらに、同一の通信方向のリソースの間の干渉は、ＳＩＢ上の設定と現在用途がいずれも下りリンク通信方向であるリソース間の干渉、ＳＩＢ上の設定は互いに異なるが、現在用途が下りリンク通信方向であるリソース間の干渉とに区別することもできる。
【００８３】
このように、同一の通信方向のリソースの間の干渉を、ａ）ＳＩＢ上の設定と現在用途がいずれも下りリンク通信方向であるリソースの間の干渉と、ｂ）ＳＩＢ上の設定は互いに異なるが、現在用途が下りリンク通信方向であるリソース間の干渉とにさらに区別する方法は、既存の上りリンクリソースを下りリンク通信用途に変更して用いる場合に当該リソースを相対的に低い電力と設定し、当該リソースを既存用途（例、上りリンク通信）に用いる隣接基地局と端末間の通信に及ぶ干渉を低減しようとする場合に特に効果的である。このため、システムの負荷状態によって既存無線リソースの用途が動的に変更される場合に、下りリンクサブフレーム（或いは、サブフレーム集合）別に異なる干渉特性が考慮されずにチャネル状態（ＣＳＩ）推定（或いは、干渉推定）及び報告が行われると、不正確なチャネル状態情報によって全体ネットワークの通信性能の低下につながりうる。
【００８４】
そこで、本発明では、無線リソースの用途がシステム負荷状態によって動的に変更される場合に、無線リソース集合別に異なる干渉特性を考慮して、チャネル状態推定（或いは、干渉推定）及び報告を効果的に行う方法を提示する。ここで、干渉特性が異なる無線リソース集合は、事前に定義された規則に基づいて区別することができる。例えば、セル間に同一の方向の通信が行われるリソース集合と、セル間に互いに異なる方向の通信が行われるリソース集合とに区別することができる。
【００８５】
以下では、説明の便宜のために、本発明におけるチャネル状態推定プロセス（ＣＳＩ  Ｐｒｏｃｅｓｓ）関連情報は、基地局が端末に、特定セルと端末間のチャネル状態推定のために知らせる情報を意味するとする。チャネル状態推定プロセス（ＣＳＩ  Ｐｒｏｃｅｓｓ）関連情報は、例えば、チャネル状態推定に用いられる参照信号の種類、設定（Ｃｏｎｆｉｇｕｒａｔｉｏｎ）、周期（Ｐｅｒｉｏｄｉｃｉｔｙ）、サブフレームオフセット（Ｓｕｂｆｒａｍｅ  Ｏｆｆｓｅｔ）、参照信号のシーケンス生成のための仮想的セル識別子（Ｖｉｒｔｕａｌ  Ｃｅｌｌ  ＩＤ）（或いは、物理的セル識別子（Ｐｈｙｓｉｃａｌ  Ｃｅｌｌ  ＩＤ））などで構成することができる。
【００８６】
また、干渉測定リソース（Ｉｎｔｅｒｆｅｒｅｎｃｅ  Ｍｅａｓｕｒｅｍｅｎｔ  Ｒｅｓｏｕｒｃｅ、ＩＭＲ）関連情報は、基地局が端末に、特定セルと端末間の通信上に受信される外部干渉を効率的に測定するための用途に知らせるリソースを意味する。干渉測定リソースは、例えば、事前に定義されたリソース単位（或いは、設定／周期／サブフレームオフセット）に基づいて定義することができる。
【００８７】
リソース−特定ＣＳＩ測定（Ｒｅｓｏｕｒｃｅ−Ｓｐｅｃｉｆｉｃ  ＣＳＩ  Ｍｅａｓｕｒｅｍｅｎｔ）（或いは、Ｒｅｓｔｒｉｃｔｅｄ  ＣＳＩ  Ｍｅａｓｕｒｅｍｅｎｔ））関連情報は、干渉特性が互いに異なる無線リソース集合に対してそれぞれ独立したチャネル状態推定（或いは、干渉推定）及び報告動作が行われるようにするために、基地局が端末に知らせる情報を意味する。リソース−特定ＣＳＩ測定関連情報は、干渉特性が異なる無線リソース集合に関する情報と、干渉特性が異なるそれぞれの無線リソース集合に対する独立したチャネル状態報告のための設定情報（例えば、チャネル状態報告周期／サブフレームオフセット／上りリンクリソースインデックスなど）などで構成することができる。
【００８８】
以下では、本発明の説明の便宜のために、ＴＤＤシステム環境下でそれぞれのセルが自身のシステム負荷状態によって既存無線リソースの用途を動的に変更する状況を仮定する。本発明の提案方式は、ＦＤＤシステムで既存無線リソースの用途がシステム負荷状態によって動的に変更される状況だけでなく、干渉特性が異なる無線リソース集合が２つ以上定義される状況でも拡張して適用することができる。
【００８９】
本発明に関する一実施例であり、基地局は端末に、事前に定義されたシグナルを用いて、「一つのチャネル状態推定プロセス情報及び当該チャネル状態推定プロセスと連動した一つの干渉測定リソース情報」と「一つのリソース特定ＣＳＩ測定（或いは、Ｒｅｓｔｒｉｃｔｅｄ ＣＳＩ Ｍｅａｓｕｒｅｍｅｎｔ）関連情報」を知らせることによって、端末が、干渉特性が異なるそれぞれの無線リソース集合に対して独立したチャネル状態推定（或いは、干渉推定）及び報告を行うようにすることができる。
【００９０】
ここで、干渉測定リソースは、干渉特性の異なる無線リソース集合別に独立して指定されるものではなく、（干渉特性の異なる無線リソース集合間に）共通の一つの干渉測定リソースとして定義される。また、干渉測定リソースが干渉特性の異なる無線リソース集合上で全て現れるようにするために、干渉測定リソース情報は、（既存）特定干渉測定リソースに対するパラメータと追加のオフセットパラメータで構成することができる。例えば、仮に周期Ｔベースの特定干渉測定リソースが現れる時点をＳＦ ＃（ｎ＋ｉ＊Ｔ）（ここで、ｉは、０以上の整数）と仮定すれば、追加のオフセットパラメータ（すなわち、ＫOFFSET）は、ＳＦ ＃（ｎ＋ｉ＊Ｔ＋ＫOFFSET）時点でも当該干渉測定リソースが更に現れることを示すことができる。
【００９１】
また、干渉特性の異なる無線リソース集合別に有効な干渉測定リソースの時間的位置は、基地局が端末に知らせるそれぞれの無線集合の時間的位置情報から導出されるように設定することができる。或いは、干渉特性の異なる無線リソース集合別に有効な干渉測定リソースの時間的位置は、基地局が端末に知らせるそれぞれのＲｅｓｔｒｉｃｔｅｄ ＣＳＩ Ｍｅａｓｕｒｅｍｅｎｔサブフレーム集合の時間的位置情報から導出されるように設定することもできる。ここで、Ｒｅｓｔｒｉｃｔｅｄ ＣＳＩ Ｍｅａｓｕｒｅｍｅｎｔサブフレーム集合は、干渉測定リソースが設定されていないサブフレームでトリガーされた非周期的チャネル状態報告と連動した、ｉ）Ｒｅｓｔｒｉｃｔｅｄ ＣＳＩ Ｍｅａｓｕｒｅｍｅｎｔサブフレーム集合の種類、或いはii）チャネル状態情報の種類、或いはiii ）干渉測定値の種類を決定するようにすることもできる。
【００９２】
例えば、干渉特性の異なる無線リソース集合が２つのサブフレーム集合と定義される場合、特定サブフレーム集合の有効な干渉測定リソースの時間的位置は、当該特定サブフレーム集合上に存在する干渉測定リソースに限定されてもよい。すなわち、干渉特性の異なる無線リソース集合の時間的位置情報が、無線集合別に有効な干渉測定リソースの時間的位置を暗黙的に知らせる指示子として解釈されてもよい。したがって、端末は、それぞれのサブフレーム集合上に存在する干渉測定リソースのみを用いて、個別集合に対する干渉推定動作を独立して行うようになる。また、端末は、個別集合に対する干渉推定値に基づいてそれぞれの集合に対するチャネル状態情報（例えば、ＣＱＩ、ＰＭＩ、ＲＩ）を独立して計算し、これを、事前に定義された集合別チャネル状態報告関連パラメータ（例えば、周期／サブフレームオフセット／上りリンクリソースインデックスなど）に基づいて基地局に送信することができる。
【００９３】
図１１は、本発明によって、端末が基地局から受信した「一つのチャネル状態推定プロセス情報及び当該チャネル状態推定プロセスと連動した一つの干渉測定リソース情報」と「一つのＲｅｓｔｒｉｃｔｅｄ ＣＳＩ Ｍｅａｓｕｒｅｍｅｎｔ関連情報」に基づいて、干渉特性の異なるそれぞれの無線リソース集合に対して独立したチャネル状態推定（或いは、干渉推定）及び報告を行う実施例を示す。
【００９４】
図１１では、ＴＤＤシステムを仮定し、また、個別セルのＳＩＢによって設定された上りリンク−下りリンク設定（ＵＬ−ＤＬ  Ｃｏｎｆｉｇｕｒａｔｉｏｎ）を上りリンク−下りリンク＃０（すなわち、ＤＳＵＵＵＤＳＵＵＵ）と仮定する。また、図１１で、セル＃Ａがシステムの下りリンク負荷Ｌ量が増加することから、既存のＵＬ ＳＦ ＃（ｎ＋３）、ＵＬ ＳＦ ＃（ｎ＋４）、ＵＬ ＳＦ ＃（ｎ＋８）、ＵＬ ＳＦ ＃（ｎ＋９）、ＵＬ ＳＦ ＃（ｎ＋１３）、ＵＬ ＳＦ ＃（ｎ＋１４）、ＵＬ ＳＦ ＃（ｎ＋１８）、ＵＬ ＳＦ ＃（ｎ＋１９）を下りリンク通信目的に変更して用いると仮定する。さらに、干渉測定リソース情報は、周期５ｍｓ及びサブフレームオフセット０ベースの特定４ポートＣＳＩ−ＲＳ設定（例えば、Ｚｅｒｏ−Ｐｏｗｅｒ ＣＳＩ−ＲＳ設定）とともに追加のオフセット値３と構成されると仮定する。また、Ｒｅｓｔｒｉｃｔｅｄ ＣＳＩ Ｍｅａｓｕｒｅｍｅｎｔが行われる、干渉特性の異なる無線リソース集合は、２つのサブフレーム集合（すなわち、Ｓｅｔ ＃Ａ、Ｓｅｔ ＃Ｂ）と定義されると仮定し、これは、セル間に同一の方向の通信が行われるリソース集合と、セル間に互いに異なる方向の通信が行われるリソース集合とに区別されている。
【００９５】
図１１を参照すると、端末はＳｅｔ ＃Ａに対する干渉推定のために、Ｓｅｔ ＃Ａ上に存在する干渉測定リソース（すなわち、ＳＦ ＃ｎ、ＳＦ ＃（ｎ＋５）、ＳＦ ＃（ｎ＋１０）、ＳＦ ＃（ｎ＋１５）上の干渉測定リソース）のみを利用し、当該Ｓｅｔ ＃Ａ上の干渉推定値に基づいて計算されたＳｅｔ ＃Ａ関連チャネル状態推定情報（例えば、ＣＱＩ、ＰＭＩ、ＲＩ）を、事前に定義されたＳｅｔ ＃Ａ関連チャネル状態報告パラメータ（例えば、周期／サブフレームオフセット／上りリンクリソースインデックスなど）によって独立して基地局に報告する。同様に、端末はＳｅｔ ＃Ｂに対する干渉推定／チャネル状態推定／チャネル報告動作を、上述したＳｅｔ ＃Ａの場合と同様の方式で行うことができる。
【００９６】
本発明に関する他の実施例であり、基地局は端末に、事前に定義されたシグナルを用いて、「一つのチャネル状態推定プロセス情報及び当該チャネル状態推定プロセスと連動した複数個の干渉測定リソース情報」と「一つのリソース特定ＣＳＩ測定（或いは、Ｒｅｓｔｒｉｃｔｅｄ ＣＳＩ Ｍｅａｓｕｒｅｍｅｎｔ）関連情報」を知らせるように設定することもできる。
【００９７】
ここで、干渉測定リソースの総数は、干渉特性が互いに異なる無線リソース集合の個数と同一に設定することができ、よって、干渉特性の異なる無線リソース集合別に独立した干渉測定リソースを定義することができる。
【００９８】
これによって、端末は、それぞれの無線リソース集合と連動した干渉測定リソースを用いて個別無線リソース集合に対する干渉推定動作を独立して行うことができる。また、端末は、個別無線リソース集合に対する干渉推定値に基づいて、それぞれの無線リソース集合に対するチャネル状態情報（例えば、ＣＱＩ、ＰＭＩ、ＲＩ）を独立して計算し、これを、事前に定義された集合別チャネル状態報告関連パラメータ（例えば、周期／サブフレームオフセット／上りリンクリソースインデックスなど）に基づいて基地局に送信することができる。
【００９９】
また、干渉測定リソースの総数は、事前に定義された特定値に設定することもできる。例えば、干渉測定リソースの総数は、干渉特性が互いに異なる無線リソース集合の個数よりも小さい値に設定されてもよく、逆に、干渉特性が互いに異なる無線リソース集合の個数よりも大きい値に設定されてもよい。
【０１００】
さにな、干渉特性の異なる無線リソース集合別に有効な干渉測定リソースの時間的位置は、基地局が端末に知らせるそれぞれの無線リソース集合の時間的位置情報から導出されるように設定することができる。或いは、干渉特性の異なる無線リソース集合別に有効な干渉測定リソースの時間的位置は、基地局が端末に知らせるそれぞれのＲｅｓｔｒｉｃｔｅｄ ＣＳＩ Ｍｅａｓｕｒｅｍｅｎｔサブフレーム集合の時間的位置情報から導出されるように設定することもできる。ここで、Ｒｅｓｔｒｉｃｔｅｄ ＣＳＩ Ｍｅａｓｕｒｅｍｅｎｔサブフレーム集合は、干渉測定リソースが設定されていないサブフレームでトリガーされた非周期的チャネル状態報告と連動した、ｉ）Ｒｅｓｔｒｉｃｔｅｄ ＣＳＩ Ｍｅａｓｕｒｅｍｅｎｔサブフレーム集合の種類、或いはii）チャネル状態情報の種類、或いはiii ）干渉測定値の種類を決定するようにすることもできる。このような方式は、特に、干渉特性の異なる特定無線集合の時間的位置と当該特定無線集合のために設定された干渉測定リソースの時間的位置とが（部分的に）一致しない場合に効果的である。
【０１０１】
例えば、干渉特性の異なる無線リソース集合が２つのサブフレーム集合と定義される場合、特定サブフレーム集合の有効な干渉測定リソースの時間的位置は、当該特定無線リソース集合のために設定された干渉測定リソースのうち、当該特定サブフレーム集合上に存在する干渉測定リソースに限定することができる。
【０１０２】
他の例として、干渉特性の異なる無線リソース集合別に独立して定義される干渉測定リソース或いは事前に指定された特定値の個数と定義される干渉測定リソースは、ｉ）時間リソース領域、又は／及びii）周波数リソース領域、又は／及びiii ）シーケンスリソース領域上で、独立して（例えば、互いに異なるように）定義されてもよく、或いは、一部のリソース領域上で重なるように定義されてもよい。例えば、仮に複数個の干渉測定リソースが周波数リソース領域（又は／及びシーケンスリソース領域）上で異なるように定義されると、干渉特性の異なる無線リソース集合別に有効な干渉測定リソースの時間的位置は、事前に定義されたシグナルによって一部或いは全部が重なるように設定されてもよい。
【０１０３】
図１２は、上述した説明によって、標準ＣＰ（Ｎｏｒｍａｌ  ＣＰ）の場合に、１つのリソースブロック（Ｒｅｓｏｕｒｃｅ  Ｂｌｏｃｋ、ＲＢ）上で干渉測定リソース（ＩＭＲ）がマップされる実施例を示す図である。
【０１０４】
図１３は、本発明によって、端末が基地局から受信した「一つのチャネル状態推定プロセス情報及び当該チャネル状態推定プロセスと連動した２つの干渉測定リソース情報」と「一つのＲｅｓｔｒｉｃｔｅｄ ＣＳＩ Ｍｅａｓｕｒｅｍｅｎｔ関連情報」に基づいて、干渉特性の異なるそれぞれの無線リソース集合に対して独立したチャネル状態推定（或いは、干渉推定）及び報告を行う実施例を示す。ここで、システム環境及び用途変更される無線リソースの位置は、図１１の場合と同様であるとする。
【０１０５】
図１３で、Ｒｅｓｔｒｉｃｔｅｄ ＣＳＩ Ｍｅａｓｕｒｅｍｅｎｔが行われる、干渉特性の異なる無線リソース集合は、２つのサブフレーム集合（すなわち、Ｓｅｔ ＃Ａ、Ｓｅｔ ＃Ｂ）と定義されると仮定し、また、干渉特性の異なる無線リソース集合別に独立した干渉測定リソースが設定されると仮定している。具体的には、Ｓｅｔ ＃Ａの干渉測定リソース情報は、周期５ｍｓ及びサブフレームオフセット０ベースの特定４ポートＣＳＩ−ＲＳ設定（例えば、Ｚｅｒｏ−Ｐｏｗｅｒ ＣＳＩ−ＲＳ設定）と定義されると仮定し、Ｓｅｔ ＃Ｂの干渉測定リソース情報は、周期５ｍｓ及びサブフレームオフセット３ベースの特定４ポートＣＳＩ−ＲＳ設定（例えば、Ｚｅｒｏ−Ｐｏｗｅｒ ＣＳＩ−ＲＳ設定）と定義されると仮定した。
【０１０６】
図１３で、端末は、Ｓｅｔ ＃Ａ上に存在するＳｅｔ ＃Ａ関連干渉測定リソース（すなわち、ＳＦ ＃ｎ、ＳＦ ＃（ｎ＋５）、ＳＦ ＃（ｎ＋１０）、ＳＦ ＃（ｎ＋１５）上の干渉測定リソース）のみを用いて、Ｓｅｔ ＃Ａに対する干渉推定動作を行い、当該干渉推定値に基づいて計算されたＳｅｔ ＃Ａ関連チャネル状態推定情報（例えば、ＣＱＩ、ＰＭＩ、ＲＩ）を、事前に定義されたＳｅｔ ＃Ａ関連チャネル状態報告パラメータ（例えば、周期／サブフレームオフセット／上りリンクリソースインデックスなど）によって独立して基地局に報告することができる。同様に、端末は、Ｓｅｔ ＃Ｂに対する干渉推定／チャネル状態推定／チャネル報告動作を、上述したＳｅｔ ＃Ａの場合と同様の方式で行うことができる。
【０１０７】
本発明に関する更に他の実施例であり、基地局は端末に、事前に定義されたシグナルを用いて、「一つのチャネル状態推定プロセス情報及び当該チャネル状態推定プロセスと連動した複数個の干渉測定リソース情報」を知らせるように設定することができる。
【０１０８】
ここで、干渉測定リソースの総数は、干渉特性が互いに異なる無線リソース集合の個数（或いは、Ｒｅｓｔｒｉｃｔｅｄ ＣＳＩ Ｍｅａｓｕｒｅｍｅｎｔのためのサブフレーム集合の個数）と同一に設定したり、或いは事前に定義された特定値（例えば、干渉特性の互いに異なる無線リソース集合の個数よりも小さい値或いは大きい値）に設定することができる。また、端末は、それぞれの集合と連動した干渉測定リソースを用いて個別集合に対する干渉推定（或いは、チャネル推定）動作を独立して行うことができる。
【０１０９】
以下では、本実施例の説明の便宜のために、１つのチャネル状態推定プロセスに対して２つの干渉測定リソース情報が設定された状況を仮定した。ここで、干渉測定リソース別に干渉特性の異なるサブフレーム集合（例えば、固定された用途の下りリンクサブフレーム集合と用途変更動作で生成された下りリンクサブフレーム集合）が連動していると仮定した。
【０１１０】
また、一つのチャネル状態推定プロセスのために定義されたリソース特定ＣＳＩ測定（或いは、Ｒｅｓｔｒｉｃｔｅｄ ＣＳＩ Ｍｅａｓｕｒｅｍｅｎｔ）サブフレーム集合は、それぞれの干渉測定リソースが干渉測定に有効な時点（或いは、サブフレーム位置）を指定するように機能し、同時に干渉測定リソースが設定されていない時点（或いは、サブフレーム）でトリガーされた非周期的チャネル状態報告（Ａｐｅｒｉｏｄｉｃ  ＣＳＩ  Ｒｅｐｏｒｔ）と連動した、ｉ）リソース特定ＣＳＩ測定サブフレーム集合の種類、或いはii）チャネル状態情報の種類、或いはiii ）干渉測定値の種類を決定するように機能することができる。
【０１１１】
本発明の更に他の実施例であり、基地局は端末に、事前に定義されたシグナルを用いて、「複数個のチャネル状態推定プロセス情報及びそれぞれのチャネル状態推定プロセスと連動した干渉測定リソース情報」を知らせるように設定することができる。
【０１１２】
ここで、チャネル状態推定プロセスの総数は、干渉特性が互いに異なる無線リソース集合の個数と同一に設定することができ、また、チャネル状態推定プロセス別に独立した干渉測定リソースを定義することができる。これによって、干渉特性の異なる無線リソース集合別に独立したチャネル状態推定プロセスを定義することができる。したがって、端末は、それぞれのチャネル状態推定プロセスと連動した干渉測定リソースを用いて、干渉特性が互いに異なる個別無線リソース集合に対する干渉推定動作を独立して行う。また、端末は、個別集合に対する干渉推定値に基づいてそれぞれの集合に対するチャネル状態情報（例えば、ＣＱＩ、ＰＭＩ、ＲＩ）を独立して計算し、これを、事前に定義されたチャネル推定プロセス（或いは、集合）別チャネル状態報告関連パラメータ（例えば、周期／サブフレームオフセット／上りリンクリソースインデックスなど）に基づいて基地局に送信することができる。
【０１１３】
他の例として、チャネル状態推定プロセス又は／及び干渉測定リソースの総数は、事前に定義された特定値に設定することもできる。例えば、チャネル状態推定プロセスの総数は、干渉特性が互いに異なる無線リソース集合の個数よりも小さい値に設定したり、或いは無線リソース集合の個数よりも大きい値に設定することができる。ここで、複数（例えば、Ｍ＞０、Ｍは整数）個のチャネル状態推定プロセスが相対的に小さい（例えば、Ｍ＞Ｎ＞０、Ｎは整数）個数の干渉測定リソースを共有する形態と設定されてもよい。このような場合、基地局は端末に、事前に定義されたシグナルを用いて、干渉特性の異なる無線リソース集合に関する情報、及び干渉特性の異なるそれぞれの無線リソース集合に対する独立したチャネル状態報告のための設定情報（例えば、チャネル状態報告周期／サブフレームオフセット／上りリンクリソースインデックスなど）などをさらに知らせることもできる。また、チャネル状態推定プロセス別に有効な干渉測定リソースの時間的位置は、基地局が端末に知らせるそれぞれのチャネル状態推定プロセスと連動した（干渉特性が互いに異なる）無線リソース集合の時間的位置情報から導出されるように設定することもできる。このような方法は、特に、特定チャネル状態推定プロセスと連動した（干渉特性が互いに異なる）特定無線リソース集合の時間的位置と当該プロセスのために設定された干渉測定リソースの時間的位置が（部分的に）一致しない場合に効果的である。
【０１１４】
例えば、干渉特性の異なる無線リソース集合が２つのサブフレーム集合と定義され、それぞれのサブフレーム集合別に独立したチャネル状態プロセスと干渉測定リソースが設定された場合を仮定する。このような場合、特定チャネル状態推定プロセスと連動したサブフレーム集合の有効な干渉測定リソースの時間的位置は、当該プロセスのために設定された干渉測定リソースのうち、当該サブフレーム集合上に存在する干渉測定リソースに限定することができる。
【０１１５】
更に他の例として、チャネル状態推定プロセス（すなわち、干渉特性が互いに異なる個別無線リソース集合）別に独立して定義される干渉測定リソース或いは事前に指定された特定値の個数と定義される干渉測定リソースは、ｉ）時間リソース領域、又は／及びii）周波数リソース領域、又は／及びiii ）シーケンスリソース領域上でそれぞれ独立して（例えば、互いに異なるように）定義されてもよく、或いは、一部リソース領域上で重なるように定義されてもよい。ここで、仮に複数個の干渉測定リソースが周波数リソース領域（又は／及びシーケンスリソース領域）上で異なるように定義されるとすれば、チャネル状態推定プロセス（すなわち、干渉特性が互いに異なる個別無線リソース集合）別に有効な干渉測定リソースの時間的位置は、事前に定義されたシグナルによって一部或いは全部が重なるように設定されてもよい。
【０１１６】
図１４は、本発明によって、端末が基地局から受信した「２つのチャネル状態推定プロセス情報及びそれぞれのチャネル状態推定プロセスと連動した干渉測定リソース情報」に基づいて、干渉特性の異なるそれぞれの無線リソース集合に対して独立したチャネル状態推定（或いは、干渉推定）及び報告を行う実施例を示す。
【０１１７】
図１４で、システム環境及び用途変更される無線リソースの位置は、図１１の場合と同一であるとした。図１４で、干渉特性の異なる無線リソース集合は、２つのサブフレーム集合（すなわち、Ｓｅｔ ＃Ａ、Ｓｅｔ ＃Ｂ）と定義されると仮定し、また、それぞれのサブフレーム集合別に独立したチャネル状態プロセス（すなわち、ＣＳＩ Ｐｒｏｃｅｓｓ ＃Ａ、ＣＳＩ Ｐｒｏｃｅｓｓ ＃Ｂ）及び干渉測定リソース（すなわち、ＩＭＲ ＃Ａ、ＩＭＲ ＃Ｂ）が設定されると仮定した。具体的に、ＣＳＩ Ｐｒｏｃｅｓｓ ＃Ａ（すなわち、Ｓｅｔ ＃Ａ）の干渉測定リソース情報は、周期５ｍｓ及びサブフレームオフセット０ベースの特定４ポートＣＳＩ−ＲＳ設定（例えば、Ｚｅｒｏ−Ｐｏｗｅｒ ＣＳＩ−ＲＳ設定）と定義されると仮定し、ＣＳＩ Ｐｒｏｃｅｓｓ ＃Ｂ（すなわち、Ｓｅｔ ＃Ｂ）の干渉測定リソース情報は、周期５ｍｓ及びサブフレームオフセット３ベースの特定４ポートＣＳＩ−ＲＳ設定（例えば、Ｚｅｒｏ−Ｐｏｗｅｒ ＣＳＩ−ＲＳ設定）と定義されると仮定した。
【０１１８】
図１４で、端末は、Ｓｅｔ ＃Ａ上に存在するＣＳＩ Ｐｒｏｃｅｓｓ ＃Ａ（すなわち、Ｓｅｔ ＃Ａ）関連干渉測定リソース（すなわち、ＳＦ ＃ｎ、ＳＦ ＃（ｎ＋５）、ＳＦ ＃（ｎ＋１０）、ＳＦ ＃（ｎ＋１５）上の干渉測定リソース）のみを用いてＳｅｔ ＃Ａに対する干渉推定動作を行う。Ｓｅｔ ＃Ａに対する干渉推定値に基づいて計算されたＳｅｔ ＃Ａ関連チャネル状態推定情報（例えば、ＣＱＩ、ＰＭＩ、ＲＩ）を、事前に定義されたＣＳＩ Ｐｒｏｃｅｓｓ ＃Ａ（すなわち、Ｓｅｔ ＃Ａ）関連チャネル状態報告パラメータ（例えば、周期／サブフレームオフセット／上りリンクリソースインデックスなど）によって独立して基地局に報告することができる。また、端末は、Ｓｅｔ ＃Ｂに対する干渉推定／チャネル状態推定／チャネル報告動作を、上述したＳｅｔ ＃Ａの場合と同様の方式で行うことができる。
【０１１９】
本発明の更に他の実施例であり、基地局が端末に、事前に定義されたシグナルを用いて、「複数個のチャネル状態推定プロセス（ＣＳＩ  Ｐｒｏｃｅｓｓ）情報及びそれぞれのチャネル状態推定プロセスと連動した干渉測定リソース（ＩＭＲ）情報」を知らせるように設定された状況下で、端末のチャネル状態推定動作の複雑度（或いは、処理時間（Ｐｒｏｃｅｓｓｉｎｇ  Ｔｉｍｅ）或いは複数個のチャネル状態推定プロセスを同時に駆動させる動作の複雑度）を理由に、実際チャネル状態推定プロセスの個数（例えば、Ｍ、Ｍ＞０）よりも、事前に定義された相対的に少ない個数（例えばＮ、Ｍ＞Ｎ＞０）（或いは、少ない又は同一の個数（例えばＮ、Ｍ≧Ｎ＞０））のチャネル状態推定プロセスが設定された場合のように見なして（Ｅｍｕｌａｔｅ）動作するように設定することもできる。更に他の例として、端末のチャネル状態推定動作の複雑度（或いは、処理時間（Ｐｒｏｃｅｓｓｉｎｇ  Ｔｉｍｅ）或いは複数個のチャネル状態推定プロセスを同時に駆動させる動作の複雑度）を理由に、実際チャネル状態推定プロセスの個数（例えば、Ｍ、Ｍ＞０）を１つのチャネル状態推定プロセスが設定された場合のように見なして（Ｅｍｕｌａｔｅ）動作するように設定することもできる。
【０１２０】
更に他の例として、Ｍ個のチャネル状態推定プロセスを、事前に定義されたＭよりも小さい整数（例えば、Ｎ、Ｍ＞Ｎ＞０）個（或いは、事前に定義されたＭより小さい又は同一の整数（例えば、Ｎ、Ｍ≧Ｎ＞０）個）のチャネル状態推定プロセスが設定された場合のように見なして（Ｅｍｕｌａｔｅ）動作させる形態にも拡張可能である。このような、本発明の実施例は、特に、相対的に多数のチャネル状態推定プロセス（或いは、２つ以上のチャネル状態推定プロセス）を同時に運営できる能力（Ｃａｐａｂｉｌｉｔｙ）を持たない端末のチャネル推定動作に効果的である。
【０１２１】
以下では、本発明の実施例に関する説明の便宜のために、２つのチャネル状態推定プロセスを、１つのチャネル状態推定プロセスが設定された場合のように見なして（Ｅｍｕｌａｔｅ）動作させる状況を仮定する。ここで、２つのチャネル状態推定プロセスは、それぞれ、干渉特性が互いに異なる２つの無線リソース集合（例えば、固定された用途の下りリンクサブフレーム集合、及び用途変更動作で生成された下りリンクサブフレーム集合）に対する独立した干渉推定／チャネル状態推定／チャネル報告動作のために定義されたと仮定する。
【０１２２】
本発明の実施例によれば、例えば、ｉ）２つのチャネル状態推定プロセス別干渉測定リソースの有効な測定時点が一致しないように設定されている、ii）及び／又は２つのチャネル状態推定プロセスに追加のＣＳＩ測定サブフレーム集合（或いは、Ｒｅｓｔｒｉｃｔｅｄ ＣＳＩ Ｍｅａｓｕｒｅｍｅｎｔサブフレーム集合）を設定しない、及び／又はiii ）非周期的チャネル状態報告（Ａｐｅｒｉｏｄｉｃ  ＣＳＩ  Ｒｅｐｏｒｔ）関連動作時に、２つのチャネル状態推定プロセスのチャネル状態情報を同時に報告するように指示されないように設定される条件を与え、２つのチャネル状態推定プロセスが１つのチャネル状態推定プロセスの、ＴＤＭ Ｒｅｓｔｒｉｃｔｅｄ ＣＳＩ Ｍｅａｓｕｒｅｍｅｎｔのように見なされてもよい。したがって、２つのチャネル状態推定プロセスが一つのチャネル状態推定プロセスのＴＤＭ Ｒｅｓｔｒｉｃｔｅｄ ＣＳＩ Ｍｅａｓｕｒｅｍｅｎｔのように見なされて動作される場合、互いに異なる干渉特性を有する特定無線リソース集合に対するＴＤＭ Ｒｅｓｔｒｉｃｔｅｄ ＣＳＩ Ｍｅａｓｕｒｅｍｅｎｔ動作は、既存の該当の無線リソース集合と連動した２つのうちの一つのチャネル状態推定プロセスの、ｉ）干渉測定リソース、或いはii）チャネル状態推定目的の参照信号設定に基づいて行われると見なすことができる。
【０１２３】
また、チャネル状態情報参照リソース（ＣＳＩ  Ｒｅｆｅｒｅｎｃｅ  Ｒｅｓｏｕｒｃｅ）の時点は、設定された、ｉ）チャネル状態推定プロセスの総数、及び／又はii）送信モード種類（例えば、ＴＭ１〜９タイプとＴＭ１０タイプ）、及び／又はiii ）システム種類（例えば、ＦＤＤシステムタイプとＴＤＤシステムタイプ）などの条件に影響を受ける。
【０１２４】
したがって、本発明の実施例が適用される場合には複数個（例えば、２個）のチャネル状態推定プロセスが設定されたと見なしてチャネル状態情報参照リソースの時点を決定せず、実際のチャネル状態推定プロセスの個数よりも事前に定義された相対的に少ない個数のチャネル状態推定プロセス（例えば、１個のチャネル状態推定プロセス）が設定された場合と同一にチャネル状態情報参照リソースの時点が決定されるように（すなわち、有効なチャネル状態推定プロセスの個数を１つと見なす。）設定することができる。
【０１２５】
すなわち、Ｍ個のチャネル状態推定プロセスを、事前に定義されたＭより小さい整数個（例えば、Ｎ、Ｍ＞Ｎ）（或いは、事前に定義されたＭより小さいか等しい整数（例えば、Ｎ、Ｍ≧Ｎ＞０）個）のチャネル状態推定プロセスが設定された場合のように見なして動作させる場合、該当の一例のチャネル状態情報参照リソースの時点は、Ｍより小さい整数個（或いは、Ｍより小さいか等しい整数個）（すなわち、Ｎ）のチャネル状態推定プロセスが設定された場合と同一に定義する（すなわち、有効なチャネル状態推定プロセスの個数は、事前に定義されたＭより小さい整数（或いは、Ｍより小さいか等しい整数）と見なす）形態にも拡張可能である。
【０１２６】
ここで、最終的にチャネル状態情報参照リソースの時点を決定する最終チャネル状態推定プロセスの個数は、「有効なチャネル状態推定プロセスの個数」の概念と定義することができる。
【０１２７】
例えば、２つのチャネル状態推定プロセスが、それぞれ、（サービング基地局の）干渉特性が互いに異なる既存の下りリンクサブフレーム集合と用途変更された上りリンクサブフレーム集合に対する独立した、ｉ）干渉推定、及び／又はii）チャネル状態推定、及び／又はiii ）チャネル報告動作のために用いられると仮定する。そして、他の２つのチャネル状態推定プロセスが他の目的（例えば、協調通信（ＣｏＭＰ）動作に参加する基地局と該当の端末間のチャネル状態測定の目的）で更に用いられると仮定する。この場合、本発明の実施例によって、前者の２つのチャネル状態推定プロセスは、一つのチャネル状態推定プロセスと見なすことができる。したがって、本実施例によれば、有効なチャネル状態推定プロセスの総数は、４個ではなく３個と見なすことができ、当該有効な３個のチャネル状態推定プロセスに基づいてチャネル状態情報参照リソースの時点は、（周期的或いは非周期的）チャネル状態報告が行われる上りリンクサブフレームから４ｍｓ含めて以前の有効な下りリンクサブフレームと決定することができる。
【０１２８】
参考として、ＴＤＤシステム下で、仮にチャネル状態推定プロセスの総数が４個に設定されると、チャネル状態情報参照リソースの時点は、（周期的或いは非周期的）チャネル状態報告が行われる上りリンクサブフレームから５ｍｓ含めて以前の有効な下りリンクサブフレームとして決定される。ここで、有効な下りリンクサブフレームは、事前に定義された規則によって、ｉ）固定された（或いは、静的な）用途の下りリンクサブフレーム（例えば、ＴＤＤシステムの場合、システム情報／同期情報チャネル（例、ＰＢＣＨ（ＭＩＢ）、ＳＩＢ、ＰＡＧＩＮＧ、ＰＳＳ／ＳＳＳ）が送信されるサブフレーム＃０、＃１、＃５、＃６）、及び／又はii）ＳＩＢ上の下りリンクサブフレーム、及び／又はiii ）用途変更された上りリンクサブフレーム、及び／又はiv）ＳＩＢ上では上りリンクサブフレームであるが、用途変更動作によって下りリンク目的に設定されたサブフレームなどと定義することができる。
【０１２９】
他の例として、特定端末が２つの基地局間の協調通信（ＣｏＭＰ）動作に基づいてデータ／制御情報を受信し、これらの各基地局が無線リソース用途を自身の負荷状態によって動的に変更する場合、当該端末には、サービング基地局の無線リソース用途変更動作によって生成される２つの互いに異なる干渉特性のリソース集合、及び協調通信に参加するそれぞれの基地局に対するチャネル状態測定を考慮して、総数４個のチャネル状態推定プロセスを定義することができる。この場合、「サービング基地局の無線リソース用途変更動作によって生成される２つの互いに異なる干渉特性のリソース集合のための２つのチャネル状態推定プロセス」と「協調通信に参加するそれぞれの基地局に対するチャネル状態測定のための２つのチャネル状態推定プロセス」はそれぞれ、一つのチャネル状態推定プロセスと見なしたり、或いは一つのチャネル状態推定プロセスが設定された場合のように見なすことができる。したがって、最終的にチャネル状態情報参照リソースの時点を決定する最終チャネル状態推定プロセスの総数（すなわち、有効なチャネル状態推定プロセスの個数）としては２個を導出することができる。
【０１３０】
また、本実施例によれば、１個の有効なチャネル状態推定プロセスと見なされる２個（或いは、複数個）のチャネル状態推定プロセスを、同一のＮｏｎ−Ｚｅｒｏ Ｐｏｗｅｒ ＣＳＩ−ＲＳ設定と連動したり、或いはチャネル推定用途の特定Ｎｏｎ−Ｚｅｒｏ Ｐｏｗｅｒ参照信号設定と連動するように設定することができる。
【０１３１】
さらに、基地局は端末に、事前に定義されたシグナル（例えば、物理層或いは上位層シグナル）を用いて、上述した設定の適用有無及び／又は上記の提案規則に関する情報などに関する情報を知らせたり、或いは事前に定義された規則に基づいて端末が暗黙的に上述の設定情報を把握するように設定することもできる。
【０１３２】
また、本発明では、無線リソースの用途が動的に変更される場合に、有効なチャネル状態情報参照リソース（ＣＳＩ  Ｒｅｆｅｒｅｎｃｅ  Ｒｅｓｏｕｒｃｅ）は、事前に定義された代表下りリンクＨＡＲＱタイムラインと連動した上りリンク−下りリンク設定上の下りリンクサブフレームの位置（或いは、時点）に限定されるように設定することもできる。これと同様に、無線リソースの用途が動的に変更される場合に、有効なチャネル状態情報参照リソース（ＣＳＩ  Ｒｅｆｅｒｅｎｃｅ  Ｒｅｓｏｕｒｃｅ）は、事前に定義された代表上りリンクＨＡＲＱタイムラインと連動した上りリンク−下りリンク設定上の下りリンクサブフレームの位置（或いは、時点）に限定されるように設定することもできる。
【０１３３】
以下では、代表下りリンクＨＡＲＱタイムラインと連動した上りリンク−下りリンク設定及び／又は代表上りリンクＨＡＲＱタイムラインと連動した上りリンク−下りリンク設定を、無線リソース用途が動的に変更される場合にも下りリンクＨＡＲＱタイムライン及び／又は上りリンクＨＡＲＱタイムラインを連続して（或いは、效率的に）保障するために設定された上りリンク−下りリンク設定とそれぞれ呼ぶ。以下、本発明で、代表下りリンクＨＡＲＱタイムラインと連動した上りリンク−下りリンク設定、及び代表上りリンクＨＡＲＱタイムラインと連動した上りリンク−下りリンク設定は、それぞれ、ＤＬ−ｒｅｆｅｒｅｎｃｅ ＵＬ−ＤＬ ｃｏｎｆｉｇｕｒａｔｉｏｎ、及びＵＬ−ｒｅｆｅｒｅｎｃｅ ＵＬ−ＤＬ ｃｏｎｆｉｇｕｒａｔｉｏｎと定義又は命名することができる。
【０１３４】
例えば、代表下りリンクＨＡＲＱタイムライン（或いは、代表上りリンクＨＡＲＱタイムライン）と連動した上りリンク−下りリンク設定は、ａ）既存（ＳＩＢ上の）下りリンクサブフレームとｂ）動的変更動作で追加的に生成され得る下りリンクサブフレームの最大個数とこれら下りリンクサブフレームの位置を含む特定上りリンク−下りリンク設定（すなわち、一種のａ）及びｂ）の和集合ベースの動作）と定義することができる。或いは、代表下りリンクＨＡＲＱタイムライン（或いは、代表上りリンクＨＡＲＱタイムライン）と連動した上りリンク−下りリンク設定は、ａ）既存（ＳＩＢ上の）下りリンクサブフレームとｃ）事前に定義された特定時間区間（例えば、１０ｍｓ或いは動的変更周期）内で生成され得る下りリンクサブフレームの最大個数とこれら下りリンクサブフレームの位置を含む特定上りリンク−下りリンク設定（すなわち、一種のａ）及びｃ）の和集合ベースの動作）と定義することもできる。すなわち、無線リソース用途の動的変更が、上りリンク−下りリンク設定＃０、＃１、＃２の中から選択された一つで行われる場合、代表上りリンク−下りリンク設定は、上りリンク−下りリンク設定＃２と定義することができる。
【０１３５】
更に他の例として、代表下りリンクＨＡＲＱタイムライン（或いは、代表上りリンクＨＡＲＱタイムライン）と連動した上りリンク−下りリンク設定は、ａ）既存（ＳＩＢ上の）下りリンクサブフレームとｂ）動的変更動作で追加的に生成され得る下りリンクサブフレームの最小個数とこれら下りリンクサブフレームの位置を含む特定上りリンク−下りリンク設定（すなわち、一種のａ）及びｂ）の積集合ベースの動作）と定義することもできる。或いは、代表下りリンクＨＡＲＱタイムライン（或いは、代表上りリンクＨＡＲＱタイムライン）と連動した上りリンク−下りリンク設定は、ａ）既存（ＳＩＢ上の）下りリンクサブフレームとｃ）事前に定義された特定時間区間（例えば、１０ｍｓ或いは動的変更周期）内に生成され得る下りリンクサブフレームの最小個数とこれら下りリンクサブフレームの位置を含む特定上りリンク−下りリンク設定（すなわち、一種のａ）及びｃ）の積集合ベースの動作）と定義することもできる。
【０１３６】
更に他の例として、代表上りリンクＨＡＲＱタイムライン（或いは、代表下りリンクＨＡＲＱタイムライン）と連動した上りリンク−下りリンク設定は、ａ）既存の（ＳＩＢ上の）上りリンクサブフレームとｂ）動的変更動作で追加的に生成され得る上りリンクサブフレームの最大個数とこれら上りリンクサブフレームの位置を含む特定上りリンク−下りリンク設定（すなわち、一種のａ）及びｂ）の和集合ベースの動作）と定義することもできる。或いは、代表上りリンクＨＡＲＱタイムライン（或いは、代表下りリンクＨＡＲＱタイムライン）と連動した上りリンク−下りリンク設定は、ａ）既存の（ＳＩＢ上の）上りリンクサブフレームとｃ）事前に定義された特定時間区間（例えば、１０ｍｓ或いは動的変更周期）内に生成され得る上りリンクサブフレームの最大個数とこれら上りリンクサブフレームの位置を含む特定上りリンク−下りリンク設定（すなわち、一種のａ）及びｃ）の和集合ベースの動作）と定義することもできる。
【０１３７】
更に他の例として、代表上りリンクＨＡＲＱタイムライン（或いは、代表下りリンクＨＡＲＱタイムライン）と連動した上りリンク−下りリンク設定は、ａ）既存の（ＳＩＢ上の）上りリンクサブフレームとｂ）動的変更動作で追加的に生成され得る上りリンクサブフレームの最小個数とこれら上りリンクサブフレームの位置を含む特定上りリンク−下りリンク設定（すなわち、一種のａ）及びｂ）の積集合ベースの動作）と定義することもできる。或いは、代表上りリンクＨＡＲＱタイムライン（或いは、代表下りリンクＨＡＲＱタイムライン）と連動した上りリンク−下りリンク設定は、ａ）既存（ＳＩＢ上の）上りリンクサブフレームとｃ）事前に定義された特定時間区間（例えば、１０ｍｓ或いは動的変更周期）内に生成され得る上りリンクサブフレームの最小個数とこれら上りリンクサブフレームの位置を含む特定上りリンク−下りリンク設定（すなわち、一種のａ）及びｃ）の積集合ベースの動作）と定義することもできる。
【０１３８】
また、本発明において、代表下りリンクＨＡＲＱタイムラインと代表上りリンクＨＡＲＱタイムラインは、同一の（代表）上りリンク−下りリンク設定に基づいて定義されるように設定することができる。
【０１３９】
例えば、代表下りリンクＨＡＲＱタイムラインと代表上りリンクＨＡＲＱタイムラインは、共通の（代表）上りリンク−下りリンク設定選定方法に基づいて導出された同一の（代表）上りリンク−下りリンク設定に基づいて定義されるように設定することができる。或いは、代表下りリンクＨＡＲＱタイムラインと代表上りリンクＨＡＲＱタイムラインは、それぞれ独立した（例えば、互いに異なる）（代表）上りリンク−下りリンク設定に基づいて定義されるように設定することもできる。
【０１４０】
さらに、基地局は端末に、事前に定義されたシグナル（例えば、物理層或いは上位層シグナル）を用いて上記の提案規則の適用有無及び／又は上記の提案規則に関する情報などに関する情報を知らせたり、或いは事前に定義された規則に基づいて端末が暗黙的にこのような情報を把握するように設定することができる。
【０１４１】
図１５を参照して、チャネル状態推定プロセス（又は／及び、Ｒｅｓｔｒｉｃｔｅｄ ＣＳＩ Ｍｅａｓｕｒｅｍｅｎｔ）の（再）設定に用いられるシグナルタイプと、無線リソース用途の動的（再）変更に用いられるシグナルタイプとが一致しない場合を説明する。
【０１４２】
チャネル状態推定プロセス（又は／及び、Ｒｅｓｔｒｉｃｔｅｄ ＣＳＩ Ｍｅａｓｕｒｅｍｅｎｔ）の（再）設定に用いられるシグナルタイプと無線リソース用途の動的（再）変更に用いられるシグナルタイプとが一致しない場合を仮定する。このような場合、特定チャネル状態推定プロセス（又は／及び、Ｒｅｓｔｒｉｃｔｅｄ ＣＳＩ Ｍｅａｓｕｒｅｍｅｎｔ）ベースの、チャネル状態情報又は／及び干渉推定情報が、最近に用途変更された無線リソースの影響を正しく反映できないか、或いは最近の外部干渉の影響を正しく反映できないという問題が発生しうる。
【０１４３】
図１５で、特定チャネル状態推定プロセス（又は／及び、Ｒｅｓｔｒｉｃｔｅｄ ＣＳＩ Ｍｅａｓｕｒｅｍｅｎｔ）の（再）設定にＲＲＣシグナルが用いられ、無線リソース用途の動的（再）変更にはＭＡＣシグナル（或いは、物理的チャネル（ＰＨＹ）シグナル）が用いられると仮定する。また、ＴＤＤシステム下でＳＩＢによって設定された上りリンク−下りリンク設定（ＵＬ−ＤＬ ｃｏｎｆｉｇｕｒａｔｉｏｎ）を上りリンク−下りリンク＃０（すなわち、ＤＳＵＵＵＤＳＵＵＵ）で仮定し、無線リソース用途の（再）変更は事前に定義された１０ｍｓの周期で行われると仮定する。
【０１４４】
これによって、無線リソースの用途がＭＡＣシグナル（或いは、物理的チャネルシグナル）によってＵＬ−ＤＬ ｃｏｎｆｉｇｕｒａｔｉｏｎ ＃ＡからＵＬ−ＤＬ ｃｏｎｆｉｇｕｒａｔｉｏｎ ＃Ｂに変更される場合、ｉ）ＵＬ−ＤＬ ｃｏｎｆｉｇｕｒａｔｉｏｎ ＃Ａに対する既存のチャネル状態推定プロセス＃Ａも、更新されたＵＬ−ＤＬ ｃｏｎｆｉｇｕｒａｔｉｏｎ ＃Ｂのためのチャネル状態推定プロセス＃Ｂに変更されたり、又は／及びii）ＵＬ−ＤＬ ｃｏｎｆｉｇｕｒａｔｉｏｎ ＃Ａに対するＲｅｓｔｒｉｃｔｅｄ ＣＳＩ Ｍｅａｓｕｒｅｍｅｎｔ ＃Ａも、更新されたＵＬ−ＤＬ ｃｏｎｆｉｇｕｒａｔｉｏｎ ＃ＢのためのＲｅｓｔｒｉｃｔｅｄ ＣＳＩ Ｍｅａｓｕｒｅｍｅｎｔ ＃Ｂに変更されたり、又は／及びiii ）ＵＬ−ＤＬ ｃｏｎｆｉｇｕｒａｔｉｏｎ ＃Ａに対する干渉測定リソース＃Ａも、更新されたＵＬ−ＤＬ ｃｏｎｆｉｇｕｒａｔｉｏｎ ＃Ｂのための干渉測定リソース＃Ｂに変更されなければならない。
【０１４５】
しかし、ＲＲＣシグナルベースのｉ）チャネル状態推定プロセス（再）設定完了、又は／及びii）Ｒｅｓｔｒｉｃｔｅｄ ＣＳＩ Ｍｅａｓｕｒｅｍｅｎｔ（再）設定完了、又は／及びiii ）干渉測定リソース（再）設定完了、に要求される時間量が、ＭＡＣシグナル（或いは、物理的チャネルシグナル）の場合に比べて長い。このため、無線リソース用途がＵＬ−ＤＬ ｃｏｎｆｉｇｕｒａｔｉｏｎ ＃Ｂに更新されても、変更された干渉／チャネル環境／下りリンク−上りリンク設定を反映する、ｉ）チャネル状態推定プロセスの再設定動作、又は／及びii）Ｒｅｓｔｒｉｃｔｅｄ ＣＳＩ Ｍｅａｓｕｒｅｍｅｎｔ（再）設定動作、又は／及びiii ）干渉測定リソース（再）設定動作が完了しないことがある。このような場合、チャネル状態推定（或いは、干渉推定）及び報告の動作上に曖昧な区間が発生する。
【０１４６】
そこで、本発明では、ｉ）チャネル状態推定プロセス、又は／及びii）Ｒｅｓｔｒｉｃｔｅｄ ＣＳＩ Ｍｅａｓｕｒｅｍｅｎｔ、又は／及びiii ）干渉測定リソースの（再）設定に用いられるシグナルタイプと、無線リソース用途の動的（再）変更に用いられるシグナルタイプとが異なる場合に発生する、チャネル状態推定（或いは、干渉推定）及び報告の動作上の曖昧さの問題を効果的に解決する方法を提示する。
【０１４７】
例えば、ｉ）無線リソース用途の動的（再）変更完了時点とチャネル状態推定プロセスの（再）設定完了時点とが不一致であったり、又は／及びii）無線リソース用途の動的（再）変更完了時点とＲｅｓｔｒｉｃｔｅｄ ＣＳＩ Ｍｅａｓｕｒｅｍｅｎｔの（再）設定完了時点とが不一致であったり、又は／及びiii ）無線リソース用途の動的（再）変更完了時点と干渉測定リソースの（再）設定完了時点とが不一致である場合に対する、更なる説明をするために、固定された用途の下りリンクサブフレーム（以下、Ｆ＿ＤＬ ＳＦ）、固定された用途の上りリンクサブフレーム（以下、Ｆ＿ＵＬ ＳＦ）、用途変更されるサブフレーム（以下、Ｃ＿ＳＦ）のサブフレームタイプが存在すると仮定する。
【０１４８】
これによって、Ｃ＿ＳＦが下りリンクの目的に設定され、これによる下りリンク用途のＣ＿ＳＦ上でのチャネル／干渉推定動作のために、ｉ）チャネル状態推定プロセス、及び／又はii）干渉測定リソース、及び／又はiii ）Ｒｅｓｔｒｉｃｔｅｄ ＣＳＩ Ｍｅａｓｕｒｅｍｅｎｔが定義されると、これに基づいて、当該下りリンク用途のＣ＿ＳＦに対する周期的チャネル状態報告（Ｐｅｒｉｏｄｉｃ  ＣＳＩ  Ｒｅｐｏｔ）動作を行う（すなわち、ここで、周期的チャネル状態報告は、Ｆ＿ＵＬ ＳＦで行われるように設定する）ことができる。ここで、当該下りリンク用途のＣ＿ＳＦのために設定された、ｉ）チャネル状態推定プロセス、及び／又はii）干渉測定リソース、及び／又はiii ）Ｒｅｓｔｒｉｃｔｅｄ ＣＳＩ Ｍｅａｓｕｒｅｍｅｎｔに基づいて周期的チャネル状態報告を行っている途中に、仮にＭＡＣシグナル（或いは、物理的チャネルシグナル）によって当該Ｃ＿ＳＦが上りリンク目的に（再）変更されると、当該Ｃ＿ＳＦ上に設定された干渉測定リソースはそれ以上有効でない。このため、このような状況下でＲＲＣシグナルベースのｉ）チャネル状態推定プロセス、又は／及びii）干渉測定リソース、又は／及びiii ）Ｒｅｓｔｒｉｃｔｅｄ ＣＳＩ Ｍｅａｓｕｒｅｍｅｎｔの（再）設定動作が完了しないことから、上りリンク制御チャネル（ＰＵＣＣＨ）ベースのチャネル状態情報送信動作上にいかなる措置が取られるべきかが曖昧になるという問題点が発生しうる。
【０１４９】
そこで、本発明では、ａ）無線リソース用途の動的（再）変更完了時点と、ｂ）チャネル状態推定プロセス、又は／及びＲｅｓｔｒｉｃｔｅｄ ＣＳＩ Ｍｅａｓｕｒｅｍｅｎｔ、又は／及び干渉測定リソースの（再）設定完了時点とが、互いに異なるシグナルタイプによって不一致である場合に、端末が事前に定義された特定値のチャネル状態情報（例えば、ＣＱＩ、ＰＭＩ、ＲＩ）を基地局に送信するように設定することができる。
【０１５０】
端末が送信する特定値のチャネル状態情報は、基地局が端末に事前に定義されたシグナルを用いてあらかじめ定義することができる。例えば、端末が送信する特定値のＣＱＩは、ＣＱＩ Ｉｎｄｅｘ ＃０（すなわち、Ｏｕｔ  ｏｆ  Ｒａｎｇｅ）と定義することができ、特定値のＲＩは１と定義したり、又は／及び特定値のＰＭＩは、ＲＩ １ベースの特定Ｃｏｄｅｂｏｏｋ Ｉｎｄｅｘ（例えば、Ｉｄｅｎｔｉｔｙ Ｍａｔｒｉｘに該当するＣｏｄｅｂｏｏｋ Ｉｎｄｅｘ）と定義することができる。すなわち、事前に定義された特定値のＣＳＩ情報を端末に送信させることによって、基地局は、端末のｉ）チャネル状態推定プロセスの（再）設定完了時点、又は／及びii）Ｒｅｓｔｒｉｃｔｅｄ ＣＳＩ Ｍｅａｓｕｒｅｍｅｎｔの（再）設定完了時点、又は／及びiii ）干渉測定リソースの（再）設定完了時点を暗黙的に把握することができる。
【０１５１】
他の例として、端末が送信する特定値のＣＱＩ、及び／又は特定値のＲＩ情報、及び／又は特定値のＰＭＩは、ｉ）チャネル状態推定プロセスの（再）設定動作が行われる前の最後の値（或いは、最新の値）と定義したり、又は／及びii）Ｒｅｓｔｒｉｃｔｅｄ ＣＳＩ Ｍｅａｓｕｒｅｍｅｎｔの（再）設定動作が行われる前の最後の値（或いは、最新の値）と定義したり、又は／及びiii ）干渉測定リソースの（再）設定動作が行われる前の最後の値（或いは、最新の値）と定義することもできる。さらに、端末が送信する特定値のチャネル状態情報は、事前に定義された特定上りリンクリソース（例えば、ＰＵＣＣＨ／ＰＵＳＣＨ）を介して送信されるように設定することができ、基地局は端末に、これと関連した情報（例えば、上りリンクリソース）を、事前に定義されたシグナルを用いて知らせることができる。
【０１５２】
具体的には、特定チャネル状態推定プロセス、又は／及び特定Ｒｅｓｔｒｉｃｔｅｄ ＣＳＩ Ｍｅａｓｕｒｅｍｅｎｔ、又は／及び特定干渉測定リソースの（再）設定にＲＲＣシグナルが用いられ、無線リソース用途の動的（再）変更にはＭＡＣシグナル（或いは、物理的チャネルシグナル）が用いられる環境を仮定する。このような仮定下で、仮に無線リソース用途が更新されたとしても、変更された干渉／チャネル環境／下りリンク−上りリンク設定を反映する、ｉ）チャネル状態推定プロセス、又は／及びii）Ｒｅｓｔｒｉｃｔｅｄ ＣＳＩ Ｍｅａｓｕｒｅｍｅｎｔ、又は／及びiii ）干渉測定リソースの再設定動作が完了していないと、端末は、本発明によって事前に定義された特定値のチャネル状態情報（例えば、ＣＱＩ、ＰＭＩ、ＲＩ）を、事前に指定された特定上りリンクリソースを用いて基地局に送信することができる。
【０１５３】
本発明では、さらに、ａ）無線リソース用途の動的（再）変更完了時点とｂ）チャネル状態推定プロセス（又は／及び、Ｒｅｓｔｒｉｃｔｅｄ ＣＳＩ Ｍｅａｓｕｒｅｍｅｎｔ或いは干渉測定リソース）の（再）設定完了時点とが、互いに異なるシグナルタイプによって不一致である場合に、端末がチャネル状態情報報告動作を省略するように設定することもできる。このようにチャネル状態情報報告動作を省略する方法は、特に、端末の周期的チャネル状態情報報告（Ｐｅｒｉｏｄｉｃ  ＣＳＩ  Ｒｅｐｏｒｔ）動作に効果的である。
【０１５４】
例えば、特定チャネル状態推定プロセス、又は／及びＲｅｓｔｒｉｃｔｅｄ ＣＳＩ Ｍｅａｓｕｒｅｍｅｎｔ、又は／及び干渉測定リソースの（再）設定にＲＲＣシグナルが用いられ、無線リソース用途の動的（再）変更にはＭＡＣシグナル或いは物理的チャネルシグナルが用いられる環境を仮定する。このような仮定の下に、仮に無線リソース用途が更新されたとしても、変更された干渉／チャネル環境／下りリンク−上りリンク設定を反映する、チャネル状態推定プロセス又は／及びＲｅｓｔｒｉｃｔｅｄ ＣＳＩ Ｍｅａｓｕｒｅｍｅｎｔ又は／及び干渉測定リソースの再設定動作が完了していないと、端末は、本発明によって、チャネル状態情報報告動作を省略することができる。
【０１５５】
本発明の更に他の実施例であり、搬送波集成（ＣＡ）技法が適用された環境下で特定セル（或いは、コンポーネントキャリア）上の無線リソース用途が動的に変更され、上りリンク制御チャネル（ＰＵＣＣＨ）と上りリンクデータチャネル（ＰＵＳＣＨ）の同時送信が可能なように設定された場合を説明する。このような場合、仮に、ｉ）無線リソース用途の動的（再）変更完了時点とチャネル状態推定プロセスの（再）設定完了時点との不一致、又は／及びii）無線リソース用途の動的（再）変更完了時点とＲｅｓｔｒｉｃｔｅｄ ＣＳＩ Ｍｅａｓｕｒｅｍｅｎｔの（再）設定完了時点との不一致、又は／及びiii ）無線リソース用途の動的（再）変更完了時点と干渉測定リソースの（再）設定完了時点との不一致によって、上りリンク制御チャネル（ＰＵＣＣＨ）ベースの（周期的）チャネル状態報告動作が省略された場合には、事前に定義された設定によって該当の余分の電力（すなわち、上りリンク制御チャネル（ＰＵＣＣＨ）ベースの（周期的）チャネル状態報告のために必要な電力）が当該時点の上りリンクデータチャネル（ＰＵＳＣＨ）ベースのデータ送信及び／又は上りリンク制御情報（ＵＣＩ）送信のために用いられるように設定することができる。
【０１５６】
例えば、本発明は、特に、上りリンク制御チャネル（ＰＵＣＣＨ）ベースの（周期的）チャネル状態報告動作が省略される時点で、ａ）上りリンク制御チャネル（ＰＵＣＣＨ）ベースの（周期的）チャネル状態報告のために必要な電力とｂ）上りリンクデータチャネル（ＰＵＳＣＨ）ベースのデータ及び／又は上りリンク制御情報（ＵＣＩ）送信のために必要な電力との和（すなわち、ａ＋ｂ）が、端末の最大送信電力（すなわち、ＰＭＡＸ）に到達した場合に、上りリンクデータチャネル（ＰＵＳＣＨ）ベースの信頼できるデータ及び／又は上りリンク制御情報（ＵＣＩ）送信のために効果的である。或いは、上りリンク制御チャネル（ＰＵＣＣＨ）ベースの（周期的）チャネル状態報告動作が省略される時点で、ａ）上りリンク制御チャネル（ＰＵＣＣＨ）ベースの（周期的）チャネル状態報告のために必要な電力とｂ）上りリンクデータチャネル（ＰＵＳＣＨ）ベースのデータ及び／又は上りリンク制御情報（ＵＣＩ）送信のために必要な電力との和（すなわち、ａ＋ｂ）が、端末の最大送信電力を超えて再び調整（Ｃａｌｉｂｒａｔｉｏｎ）された場合に、上りリンクデータチャネル（ＰＵＳＣＨ）ベースの信頼できるデータ及び／又は上りリンク制御情報（ＵＣＩ）送信のために効果的である。
【０１５７】
また、上述した本発明の電力制御方式は、Ｎｏｎ−ＣＡ環境下で一つのセル（或いは、コンポーネントキャリア）上の無線リソース用途が動的に変更され、上りリンク制御チャネル（ＰＵＣＣＨ）と上りリンクデータチャネル（ＰＵＳＣＨ）の同時送信が可能なように設定された場合にも拡張して適用可能である。例えば、既存の上りリンク電力割当ては、「上りリンク制御チャネル（ＰＵＣＣＨ）ベースの制御情報送信→上りリンクデータチャネル（ＰＵＳＣＨ）ベースの上りリンク制御情報送信→上りリンクデータチャネル（ＰＵＳＣＨ）ベースのデータ送信」の優先順位によって順次に行われる（ここで、Ａ→Ｂは、ＡがＢよりも優先的に再分配されるように設定されることを表す。すなわち、前に位置している上りリンク情報（チャネル）のために優先的に再分配されるように設定される）。
【０１５８】
したがって、本発明では、省略される「上りリンク制御チャネル（ＰＵＣＣＨ）ベースの（周期的）チャネル状態報告」のために必要な電力が、事前に定義された「上りリンクデータチャネル（ＰＵＳＣＨ）ベースの上りリンク制御情報送信→上りリンクデータチャネル（ＰＵＳＣＨ）ベースのデータ送信」の優先順位に基づいて順次に再分配されるように設定することができる。ここで、上りリンク制御チャネル（ＰＵＣＣＨ）ベースの（周期的）チャネル状態報告のために必要な電力（すなわち、余分の電力）が、事前に定義された優先順位によって再分配される場合、順位別再分配関連加重値が独立して（例えば、互いに異なるように）定義されてもよい。
【０１５９】
更に他の例示として、余分電力の再分配は、優先順位が高く設定された情報送信に必要な電力をまず満たし、次の順位の情報送信に必要な電力を順次に満たしていくように設定することもできる。
【０１６０】
更に他の例示として、ｉ）上りリンク制御チャネル（ＰＵＣＣＨ）と上りリンクデータチャネル（ＰＵＳＣＨ）の同時送信が可能でない端末の場合、ii）及び上りリンク制御チャネル（ＰＵＣＣＨ）と上りリンクデータチャネル（ＰＵＳＣＨ）の同時送信動作が設定されていない場合のいずれかの場合には、上りリンクデータチャネル（ＰＵＳＣＨ）と同一時点で送信される上りリンク制御チャネル（ＰＵＣＣＨ）ベースの上りリンク制御情報（ＵＣＩ）は、上りリンクデータチャネル（ＰＵＳＣＨ）にピギーバック（Ｐｉｇｇｙ−Ｂａｃｋ）して送信されてもよい。すなわち、上りリンク制御チャネル（ＰＵＣＣＨ）ベースの上りリンク制御情報が上りリンクデータチャネル（ＰＵＳＣＨ）にピギーバックして送信される時点で、仮に、無線リソース用途の動的（再）変更完了時点とチャネル状態推定プロセス（又は／及び、Ｒｅｓｔｒｉｃｔｅｄ ＣＳＩ Ｍｅａｓｕｒｅｍｅｎｔ又は／及び干渉測定リソース）の（再）設定完了時点との不一致によって、本発明によって当該時点で送信される上りリンク制御情報が省略される場合が発生しうる。このような場合には、事前に定義された設定によって、上りリンク制御情報がピギーバックして送信される上りリンクデータチャネル（ＰＵＳＣＨ）上のリソース（例えば、ＲＥ或いはＲＢ）には上りリンクデータがマップされず、ＲＭ（Ｒａｔｅ−Ｍａｔｃｈｉｎｇ）或いはＰＣ（Ｐｕｎｃｔｕｒｉｎｇ）方法で空になるように設定することもできる。
【０１６１】
ここで、基地局と端末は、ＲＭ或いはＰＣ方法で空になる上りリンクデータチャネル（ＰＵＳＣＨ）上のリソース（例えば、ＲＥ或いはＲＢ）位置に関する情報を事前に共有したり或いは暗黙的に把握するように設定することもできる。これによって、基地局と端末は、該当の空になる上りリンクデータチャネル（ＰＵＳＣＨ）上のリソース（例えば、ＲＥ或いはＲＢ）位置を考慮して上りリンクデータを受信／送信することができる。例えば、ＲＭ或いはＰＣ方法で空になる上りリンクデータチャネル（ＰＵＳＣＨ）上のリソース（例えば、ＲＥ或いはＲＢ）の送信電力は、０（ｚｅｒｏ）に設定することができる。さらに、省略されるピギーバックされる上りリンク制御情報の送信電力が「上りリンクデータチャネル（ＰＵＳＣＨ）ベースのデータ情報送信」のために再分配されるように設定することができる。
【０１６２】
更に他の例として、上りリンク制御情報が上りリンクデータチャネル（ＰＵＳＣＨ）にピギーバックして送信される時点で、仮に、無線リソース用途の動的（再）変更完了時点とチャネル状態推定プロセス（又は／及び、Ｒｅｓｔｒｉｃｔｅｄ ＣＳＩ Ｍｅａｓｕｒｅｍｅｎｔ又は／及び干渉測定リソース）の（再）設定完了時点との不一致によって、本発明によって当該時点で送信される上りリンク制御情報が省略されるとすれば、事前に定義された設定によって、上りリンク制御情報がピギーバックして送信される上りリンクデータチャネル（ＰＵＳＣＨ）上のリソース（例えば、ＲＥ或いはＲＢ）には送信電力を０（ｚｅｒｏ）に設定することもできる。ここで、送信電力が０に設定される上りリンクデータチャネル（ＰＵＳＣＨ）上のリソース（例えば、ＲＥ或いはＲＢ）位置に関する情報は、基地局と端末間に事前に共有したり、或いは暗黙的に把握することができ、基地局と端末は、当該上りリンクデータチャネル（ＰＵＳＣＨ）上のリソース位置を考慮して上りリンクデータを受信／送信することができる。さらに、余分の電力は、「上りリンクデータチャネル（ＰＵＳＣＨ）ベースのデータ情報送信」のために再分配されるように規則を設定することができる。
【０１６３】
更に他の例示として、上りリンク制御情報が上りリンクデータチャネルにピギーバックして送信される時点で、仮に、無線リソース用途の動的（再）変更完了時点とチャネル状態推定プロセス（又は／及び、Ｒｅｓｔｒｉｃｔｅｄ ＣＳＩ Ｍｅａｓｕｒｅｍｅｎｔ、又は／及び干渉測定リソース）の（再）設定完了時点との不一致によって、本発明によって当該時点で送信される上りリンク制御情報が省略されるとすれば、事前に定義された設定によって、上りリンク制御情報がピギーバックして送信される上りリンクデータチャネル上のリソースでは上りリンクデータ情報が送信されるように設定することもできる。
【０１６４】
さらに、基地局は端末に、事前に定義されたシグナル（例えば、物理層或いは上位層シグナル）を用いて上記の提案規則の適用有無及び／又は上記の設定に関する情報などに関する情報を知らせたり、或いは事前に定義された規則に基づいて端末が暗黙的にこのような情報を把握するように設定することができる。
【０１６５】
また、ｉ）無線リソースの用途が動的に変更される動作、及び／又はii）（複数個の）Ｒｅｓｔｒｉｃｔｅｄ ＣＳＩ Ｍｅａｓｕｒｅｍｅｎｔ結果報告動作、及び／又はiii ）（複数個の）チャネル状態推定プロセス設定及び結果報告動作が特定送信モード（例えば、送信モード１０）以外の送信モードでも效率的に適用されるには、チャネル状態推定（及び／又は干渉推定）関連リソース／設定がさらに定義される必要がある。
【０１６６】
例えば、既存の干渉測定リソース（ＩＭＲ）に対する設定は送信モード１０のみで可能であるが、基地局別無線リソース用途の動的変更によって生成される干渉特性が互いに異なる個別無線リソース集合に対する正確な干渉推定動作（或いは、干渉推定値の導出）のためには、他の送信モードでも干渉測定リソースの設定が必要であるか、或いは送信モード１０における干渉測定リソースとは異なる形態の干渉測定リソースの設定が必要である。
【０１６７】
そこで、本発明に関する一実施例として、送信モード１０の場合には基本的（Ｄｅｆａｕｌｔ）に干渉測定リソースが用いられ得るように設定されたり或いは用いられるように設定されるが、他の送信モードの場合には、事前に定義された規則によって選択的（Ｏｐｔｉｏｎａｌ）に干渉測定リソース（或いは、送信モード１０における干渉測定リソースとは異なる形態の干渉測定リソース）の使用が可能となるように設定することができる。ここで、用途変更された上りリンクリソース上で特定参照信号（例えば、ＣＲＳ）が送信されないように設定された場合には、当該参照信号ベースのデータ情報／制御情報デコーディング動作が要求される送信モード（例えば、送信モード４（送信ダイバーシティベースのデータ送信技法））上で無線リソース用途の動的変更動作が支援されないように設定されてもよい。
【０１６８】
更に他の例として、用途変更された上りリンクリソース上でデータ情報／制御情報のデコーディング動作のために特定参照信号（例えば、ＤＭ−ＲＳ）が用いられるように設定された場合には、当該特定参照信号ベースのデータ情報／制御情報デコーディング動作が可能な送信モード上でのみ無線リソース用途の動的変更動作が支援されるように設定されてもよい。
【０１６９】
さらに、基地局は端末に、事前に定義されたシグナル（例えば、物理層或いは上位層シグナル）を用いて、ｉ）本発明の実施例の適用有無、及び／又はii）無線リソース用途の動的変更動作、及び／又はiii ）（複数個の）Ｒｅｓｔｒｉｃｔｅｄ ＣＳＩ Ｍｅａｓｕｒｅｍｅｎｔ結果報告動作、iv）及び／又は（複数個の）チャネル状態推定プロセス設定及び結果報告動作が支援される送信モードに関する情報、及び／又はｖ）特定送信モードで干渉測定リソースの使用（或いは、設定）が可能か否か、及び／又はvi）送信モード１０における干渉測定リソースと異なる形態の干渉測定リソースの使用（或いは、設定）が可能か否かなどに関する情報を知らせたり、或いは事前に定義された規則に基づいて端末が暗黙的にこのような情報を把握するように設定することができる。また、上記の情報は、基地局がこのような目的の更なるシグナル送信無しで、端末が該当の用途変更された上りリンクサブフレームで特定参照信号（例えば、ＣＲＳ）の送信が行われるか否かによって暗黙的に把握できるように設定することもできる。
【０１７０】
本発明に関する実施例であり、ＭＡＣ／物理的チャネルシグナルベースの無線リソース用途の動的（再）変更完了時点とＲＲＣシグナルベースの上りリンク情報送信の（再）設定完了時点とが、互いに異なるシグナルタイプによって不一致である場合、事前に定義された設定によって、ｉ）ＲＲＣシグナルベースに（再）設定される上りリンク情報が送信されるか否か、及び／又はii）ＲＲＣシグナルベースに（再）設定される上りリンク情報のうち、一部の情報が省略されるか否か、及び／又はiii ）送信される上りリンク情報間の電力再分配などが決定されるようにすることができる。言い換えると、ＭＡＣ／物理的チャネルシグナルベースの無線リソース用途の動的（再）変更完了時点とＲＲＣシグナルベースの上りリンク情報（或いは、チャネル）送信の（再）設定完了時点とが、互いに異なるシグナルタイプによって不一致である場合、事前に定義された設定によって、ｉ）ＲＲＣシグナルベースに（再）設定される上りリンクチャネルの送信されるか否か、及び／又はii）ＲＲＣシグナルベースに（再）設定される上りリンクチャネルのうち、一部のチャネルの省略されるか否か、及び／又はiii ）送信される上りリンクチャネル間の電力再分配などが決定されるようにすることもできる。ここで、ＲＲＣシグナルによって（再）設定される上りリンク情報或いは上りリンクチャネルは、ｉ）周期的／非周期的ＳＲＳ（例えば、送信周期設定／サブフレームオフセット設定／リソース設定）、及び／又はii）周期的／非周期的チャネル状態報告（Ｐｅｒｉｏｄｉｃ／Ａｐｅｒｉｏｄｉｃ  ＣＳＩ  Ｒｅｐｏｒｔ、例えば、報告周期設定／サブフレームオフセット設定／リソース設定）などで構成することができる。
【０１７１】
このような本発明の実施例は、ＲＲＣシグナルベースに（再）設定される上りリンク情報（或いは、チャネル）が、ＭＡＣ／物理的チャネルシグナルによって（再）変更される無線リソースの用途（及び／又は、変更された干渉／チャネル環境）の影響を、互いに異なるシグナルタイプであることから正しく反映できない場合に効果的である。
【０１７２】
本発明の一実施例として、ＭＡＣ／物理的チャネルシグナルベースの無線リソース用途の動的（再）変更完了時点とＲＲＣシグナルベースの上りリンク情報／チャネル送信の（再）設定完了時点とが不一致である場合、ＲＲＣシグナルベースに（再）設定される上りリンク情報／チャネルの送信が全て省略されるように設定することもできる。
【０１７３】
本発明の他の実施例として、ＭＡＣ／物理的チャネルシグナルベースの無線リソース用途の動的（再）変更完了時点とＲＲＣシグナルベースの上りリンク情報／チャネル送信の（再）設定完了時点とが不一致である場合、事前に定義された優先順位設定にしたがって、ＲＲＣシグナルベースに（再）設定される上りリンク情報／チャネル中の一部の情報／チャネルが省略されるように設定することもできる。ここで、優先順位設定は、例えば、「周期的（Ｐｅｒｉｏｄｉｃ）ＳＲＳ送信→周期的（Ｐｅｒｉｏｄｉｃ）チャネル状態情報（ＣＳＩ）送信→非周期的（Ａｐｅｒｉｏｄｉｃ）ＳＲＳ送信→非周期的（Ａｐｅｒｉｏｄｉｃ）チャネル状態情報（ＣＳＩ）送信→ＵＬ ＡＣＫ／ＮＡＣＫ情報送信」のように定義することができ、前に位置している上りリンク情報／チャネルが優先的に省略されるように設定することができる（すなわち、Ａ→Ｂの場合、ＡがＢに優先して省略されるように設定することができる）。
【０１７４】
本発明の更に他の実施例として、ＭＡＣ／物理的チャネルシグナルベースの無線リソース用途の動的（再）変更完了時点とＲＲＣシグナルベースの上りリンク情報（或いは、チャネル）送信の（再）設定完了時点とが不一致である場合、事前に定義された優先順位設定によって、省略される上りリンク情報（或いは、チャネル）の送信電力が再分配されるように設定することもできる。例えば、事前に定義された優先順位設定によって、省略される上りリンク情報（或いは、チャネル）の送信電力が「上りリンク制御チャネル（ＰＵＣＣＨ）ベースの上りリンク制御情報送信→上りリンクデータチャネル（ＰＵＳＣＨ）ベースの制御情報送信→上りリンクデータチャネル（ＰＵＳＣＨ）ベースのデータ情報送信」の優先順位に基づいて順次に再分配されるように（Ａ→Ｂは、ＡがＢに優先して再分配されるように設定することを表す。すなわち、前に位置している上りリンク情報（チャネル）が優先して再分配されるように）設定することができる。
【０１７５】
さらに、事前に定義された優先順位設定によって、省略される上りリンク情報（或いは、チャネル）の送信電力（すなわち、余分の電力）が再分配される場合、順位別再分配関連加重値が独立して定義されたり、或いは互いに異なるように定義されてもよい。また、余分の電力に対する再分配は、優先順位が高く設定された情報（或いは、チャネル）送信に必要な電力をまず満たし、次の順位の情報（或いは、チャネル）送信に必要な電力を順次に満たしていくように設定することもできる。
【０１７６】
更に他の例において、上りリンク制御チャネル（ＰＵＣＣＨ）と上りリンクデータチャネル（ＰＵＳＣＨ）の同時送信が可能でない端末であるか、或いは上りリンク制御チャネル（ＰＵＣＣＨ）と上りリンクデータチャネル（ＰＵＳＣＨ）の同時送信動作が設定されていない端末である場合、上りリンクデータチャネル（ＰＵＳＣＨ）と同一時点で送信される上りリンク制御チャネル（ＰＵＣＣＨ）ベースの上りリンク制御情報（ＵＣＩ）は、上りリンクデータチャネル（ＰＵＳＣＨ）にピギーバックして送信されてもよい。すなわち、上りリンク制御チャネル（ＰＵＣＣＨ）ベースの上りリンク制御情報が上りリンクデータチャネル（ＰＵＳＣＨ）にピギーバックして送信される時点で、仮に、ＭＡＣ／物理的チャネルシグナルベースの無線リソース用途の動的（再）変更完了時点とＲＲＣシグナルベースの上りリンク情報（或いは、チャネル）送信の（再）設定完了時点との不一致によって、本発明によって、当該時点で送信されるＲＲＣシグナルベースに（再）設定される上りリンク情報（或いは、チャネル）が省略されるとすれば、事前に定義された設定によって、上りリンク情報（或いは、チャネル）がピギーバックして送信される上りリンクデータチャネル（ＰＵＳＣＨ）上のリソース（例えば、ＲＥ或いはＲＢ）には上りリンクデータがマッピングされず、ＲＭ或いはＰＣ方法で空になるように設定することもできる。
【０１７７】
ここで、基地局と端末は、ＲＭ或いはＰＣ方法で空になる上りリンクデータチャネル（ＰＵＳＣＨ）上のリソース（例えば、ＲＥ或いはＲＢ）位置に関する情報を、事前に共有したり、或いは暗黙的に把握することができ、基地局と端末は、当該空になる上りリンクデータチャネル（ＰＵＳＣＨ）上のリソース（例えば、ＲＥ或いはＲＢ）位置を考慮して上りリンクデータを受信／送信することができる。例えば、ＲＭ或いはＰＣ方法で空になる上りリンクデータチャネル（ＰＵＳＣＨ）上のリソース（例えば、ＲＥ或いはＲＢ）の送信電力は、０（ｚｅｒｏ）に設定することができる。ここで、省略されるピギーバックされる上りリンク情報／チャネルの送信電力が「上りリンクデータチャネル（ＰＵＳＣＨ）ベースのデータ情報送信」のために再分配されるように設定することができる。
【０１７８】
更に他の例として、上りリンク制御チャネル（ＰＵＣＣＨ）ベースの上りリンク制御情報が上りリンクデータチャネル（ＰＵＳＣＨ）にピギーバックして送信される時点で、仮に、ＭＡＣ／物理的チャネルシグナルベースの無線リソース用途の動的（再）変更完了時点とＲＲＣシグナルベースの上りリンク情報／チャネル送信の（再）設定完了時点との不一致によって、本発明によって、当該時点で送信されるＲＲＣシグナルベースに（再）設定される上りリンク情報／チャネルが省略されるとすれば、事前に定義された規則によって、上りリンク制御情報がピギーバックして送信される上りリンクデータチャネル（ＰＵＳＣＨ）上のリソース（例えば、ＲＥ或いはＲＢ）には送信電力として０（ｚｅｒｏ）を設定することもできる。ここで、送信電力が０（ｚｅｒｏ）に設定される上りリンクデータチャネル（ＰＵＳＣＨ）上のリソース（例えば、ＲＥ或いはＲＢ）位置に関する情報は、基地局と端末間に事前に共有したり、或いは暗黙的に把握することができ、基地局と端末は、当該上りリンクデータチャネル（ＰＵＳＣＨ）上のリソース位置を考慮して上りリンクデータを受信／送信することができる。また、余分の電力は「上りリンクデータチャネル（ＰＵＳＣＨ）ベースのデータ情報送信」のために再分配されるように設定することもできる。
【０１７９】
更に他の例として、上りリンク制御チャネルベースの上りリンク制御情報が上りリンクデータチャネルにピギーバックして送信される時点で、仮に、ＭＡＣ／物理的チャネルシグナルベースの無線リソース用途の動的（再）変更完了時点とＲＲＣシグナルベースの上りリンク情報／チャネル送信の（再）設定完了時点との不一致によって、本発明によって、当該時点で送信されるＲＲＣシグナルベースに（再）設定される上りリンク情報／チャネルが省略されるとすれば、事前に定義された設定によって、上りリンク制御情報がピギーバックして送信される上りリンクデータチャネル上のリソースでは上りリンクデータ情報が送信されるように設定することもできる。
【０１８０】
また、上述した提案方式は、ＣＡ環境或いはＮｏｎ−ＣＡ環境下で一つのセル（或いは、コンポーネントキャリア）上の無線リソース用途が動的に変更され、上りリンク制御チャネル（ＰＵＣＣＨ）と上りリンクデータチャネル（ＰＵＳＣＨ）の同時送信が可能なように設定されたいかなる場合にも拡張して適用可能である。さらに、基地局は端末に、事前に定義されたシグナル（例えば、物理層或いは上位層シグナル）を用いて上記の本発明で提案した設定の適用有無及び／又は上記の本発明で提案した設定に関する情報などに関する情報を知らせたり、或いは事前に定義された規則に基づいて端末が暗黙的にこのような情報を把握するように設定することができる。
【０１８１】
本発明の実施例は、干渉測定（Ｉｎｔｅｒｆｅｒｅｎｃｅ  Ｍｅａｓｕｒｅｍｅｎｔ）及び／又は信号測定（Ｓｉｇｎａｌ  Ｍｅａｓｕｒｅｍｅｎｔ）などのためのリソース（Ｒｅｓｏｕｒｃｅ）に対するそれぞれのシグナリングの完了時点の不一致による曖昧さ（Ａｍｂｉｇｕｉｔｙ）を解決するための方式であるが、図１６のように、チャネル状態情報（ＣＳＩ）報告のためのリソース（Ｒｅｓｏｕｒｃｅ）の動的変更（Ｄｙｎａｍｉｃ  Ｃｈａｎｇｅ）動作にも用いることができる。
【０１８２】
図１６で、Ｃ＿ＳＦ（すなわち、用途変更が可能なサブフレーム（集合））がＳＩＢ上で上りリンク用途と定義され、このサブフレームでＲＩ情報報告が行われると仮定する。ここで、Ｃ＿ＳＦがネットワークの必要（例えば、下りリンク負荷増加）によって下りリンク用途に変更される場合、このサブフレームで報告されるべきＲＩ情報をどのように送信或いは報告するか、及び当該ＲＩ情報に基づいて決定されて報告されるＰＭＩ情報／ＣＱＩ情報などをどのように処理するかが、明確に設定される必要がある。また、図１６では、ＲＩ情報が上りリンクサブフレームを基準に１０サブフレーム（すなわち、１０ｍｓ）の間隔或いは周期を有し、Ｗ（すなわち、ＰＭＩ情報）／ＣＱＩ情報は５サブフレーム（すなわち、５ｍｓ）の間隔或いは周期を有し、Ｗ（すなわち、ＰＭＩ情報）／ＣＱＩ情報とＲＩ情報が報告されるサブフレームは−１のオフセット（Ｏｆｆｓｅｔ）を有すると仮定した。以下、本発明で、Ｗは、広帯域ＰＭＩやサブバンドＰＭＩの少なくとも一つを表すものと解釈でき、また、ＣＱＩ情報も、広帯域ＣＱＩやサブバンドＣＱＩの少なくとも一つを表すものと解釈することができる。図１６では、サブフレーム＃１２の用途が上りリンクサブフレームから下りリンクサブフレームに変更されることによって、このサブフレーム＃１２で送信されるＲＩ情報をどのように処理するかに対する更なる設定が必要であることがわかる。
【０１８３】
図１６に示すように、チャネル状態情報（ＣＳＩ）報告のためのリソース（或いは、サブフレーム）の用途が変更される場合、以上提案した発明の内容を下記のように（再）適用することができる。図１７は、上述した方法に関する実施例を示す図である。ここで、下記の内容は例示であり、以上提案した発明の内容はいずれも拡張して適用することができる。
【０１８４】
また、以下に説明する本発明の技術的思想は、特に、上りリンクから下りリンクに用途変更されるサブフレームがＲＩ情報を報告するように予定された（或いは、設定された）サブフレームである場合に効果的である。例えば、ＰＭＩ情報／ＣＱＩ情報などを報告する上りリンクサブフレームが下りリンク用途に変更された場合、当該ＰＭＩ情報／ＣＱＩ情報の報告を省略することもできる。また、ＲＩ情報が報告されるサブフレームでは、場合によって、（例えば、８Ｔｘ）Ｗ１（Ｌｏｎｇ−Ｔｅｒｍ ＰＭＩ）、ＰＴＩなどの情報が併せてエンコードされてもよく、このような場合は、以下、図１７及び図１８を参照して説明する実施例に含まれてもよい。
【０１８５】
図１７（ａ）のように、ＲＩ情報を、事前に定義された固定された値（例えば、１）と仮定し、これに基づくＰＭＩ情報／ＣＱＩ情報も同様、固定された値を報告することができる。ここで、このような動作は、固定されたＲＩ値に基づくＰＭＩ情報／ＣＱＩ情報報告区間（或いは、用途が上りリンクに再変更されるまでの区間）のチャネル状態情報報告を省略する動作として行うことができる。すなわち、下りリンクサブフレームから上りリンクサブフレームに再変更される場合、再変更される時点以降に初めて発生するＲＩ情報報告から既存の方法でチャネル状態情報報告を行ったり、或いは初めて存在するチャネル状態情報参照リソース（ＣＳＩ  Ｒｅｆｅｒｅｎｃｅ  Ｒｅｓｏｕｒｃｅ）に対応するＲＩ情報報告時点から既存の方法でチャネル状態情報報告を行うことができる。
【０１８６】
図１７（ｂ）のように、用途変更以前のＲＩ情報に基づいてＰＭＩ情報／ＣＱＩ情報などを算出して報告することもできる。下りリンクサブフレームから上りリンクサブフレームに再変更される場合、再変更される時点以降に初めて発生するＲＩ情報報告から既存の方法でチャネル状態情報報告を行ったり、或いは初めて存在するチャネル状態情報参照リソース（ＣＳＩ  Ｒｅｆｅｒｅｎｃｅ  Ｒｅｓｏｕｒｃｅ）に対応するＲＩ情報報告時点から既存の方法でチャネル状態情報報告を行うことができる。
【０１８７】
図１７（ｃ）のように、上りリンクサブフレームインデックスを再インデクシング（Ｒｅ−ｉｎｄｅｘｉｎｇ）し、再インデクシングされた上りリンクサブフレームのうち、実際に利用可能な上りリンクサブフレームのみを用いてチャネル状態情報報告時点を算出することもできる。例えば、ＲＩが報告される時点を、元来のＲＩ情報が報告される時点以降の最初の利用可能なサブフレームに移動させることができる。さらに、利用可能なサブフレームを開始点としてＲＩ情報及びＰＭＩ情報／ＣＱＩ情報などのオフセットを適用することもできる。
【０１８８】
図１８のように、利用可能な上りリンクサブフレームのみを再インデクシング（Ｒｅ−ｉｎｄｅｘｉｎｇ）してＲＩ情報、ＰＭＩ情報、ＣＱＩ情報などのチャネル状態情報報告時点を算出することもできる。例えば、上りリンクサブフレームから下りリンクサブフレームに用途変更されたサブフレームのインデックスを、以降の最初に利用可能な上りリンクサブフレーム上に再インデクシングして、ＲＩ情報及びＰＭＩ情報／ＣＱＩ情報などのチャネル状態情報報告時点を再調整することができる。また、下りリンクサブフレームから上りリンクサブフレームに再変更される場合、再インデクシングを再び行ってチャネル状態情報報告時点を再調整することができる。ここで、再インデクシング動作は、用途変更されたサブフレーム（例えば、上りリンク用途から下りリンク用途に変更されたサブフレーム）を飛ばしながら順次に行われるように設定（すなわち、図１８（ａ））したり、或いは用途変更されたサブフレーム（例えば、上りリンク用途から下りリンク用途に変更されたサブフレーム）以降から再び最初から再インデクシングされるように設定（すなわち、図１８（ｂ））することができる。
【０１８９】
本発明では、さらに、信号測定（Ｓｉｇｎａｌ  Ｍｅａｓｕｒｅｍｅｎｔ）用途及び／又は干渉測定（Ｉｎｔｅｒｆｅｒｅｎｃｅ  Ｍｅａｓｕｒｅｍｅｎｔ）用途に用いられる下りリンクサブフレームが上りリンクサブフレームに用途変更され、端末が事前に定義された一定区間（例えば、Ａｖｅｒａｇｅ  Ｔｉｍｅ  Ｄｏｍａｉｎ  Ｗｉｎｄｏｗ）を平均化して信号（Ｓｉｇｎａｌ）及び／又は干渉（Ｉｎｔｅｒｆｅｒｅｎｃｅ）を測定する場合には、用途変更されたサブフレームを、当該平均化される区間（例えば、Ａｖｅｒａｇｅ  Ｔｉｍｅ  Ｄｏｍａｉｎ  Ｗｉｎｄｏｗ）から除外し、当該区間（すなわち、Ａｖｅｒａｇｅ  Ｔｉｍｅ  Ｄｏｍａｉｎ  Ｗｉｎｄｏｗ）に属した残りの利用可能な信号／干渉測定リソースを用いてチャネル状態情報（ＣＳＩ）を算出して報告することを提案する。ここで、一つの（下りリンク）サブフレーム内に属した信号／干渉測定リソースのみを用いて信号及び／又は干渉を測定する場合、（当該信号及び／又は干渉測定関連）報告を省略したり、或いは事前に定義された固定された値を報告することと解釈されてもよい。
【０１９０】
本発明では、干渉測定リソース（ＩＭＲ）を含むサブフレームの用途が変更される場合に、追加的に提案するチャネル状態情報（ＣＳＩ）報告関連動作を提案する。すなわち、周期的（Ｐｅｒｉｏｄｉｃ）チャネル状態情報報告の場合、特定サブフレームの用途が変更（例えば、下りリンク用途から上りリンク用途に変更）され、当該特定サブフレームに干渉測定リソースが含まれたり設定されているとすれば、ｉ）当該干渉測定リソースから算出される干渉量（或いは、干渉値）を用いるチャネル状態情報報告は省略されたり、ii）事前に定義された特定値として固定されたり、或いはiii ）他の可用の干渉測定リソースに基づいてチャネル状態情報報告が行われるようにすることができる。ここで、チャネル状態情報報告が省略されたり特定値として固定される場合、周期的チャネル状態情報報告において、互いに異なる時点（或いは、上りリンクサブフレーム）上で報告される用途変更されたサブフレーム或いは当該用途変更されたサブフレーム内の干渉測定リソースに基づいて導出される［ＲＩ、Ｗ１（Ｌｏｎｇ−Ｔｅｒｍ ＰＭＩ）、ＰＴＩ］と［ＣＱＩ、ＰＭＩ］の少なくとも一つを省略することもできる。例えば、ＲＩが省略されたり、特定値として固定され、ＣＱＩ／ＰＭＩも省略されたり或いは特定値として報告されるように設定することができる。
【０１９１】
さらに、他の干渉測定リソースを用いて該当のチャネル状態情報報告を行う場合、干渉測定リソースが選定されてもよい。ここで、このような干渉測定リソースは、該当のチャネル状態推定プロセス（ＣＳＩ  Ｐｒｏｃｅｓｓ）に含まれることが好ましい。例えば、用途変更されたサブフレーム以前のサブフレームのうち、用途変更されたサブフレームと時間上で最も近いとともに実際に使用可能な干渉測定リソースを含むサブフレームを用いて干渉測定を行い、これに基づいてチャネル状態情報を報告することができる。ここで、このように干渉測定を行うサブフレームは、チャネル状態情報報告時点から（事前に定義された）特定時間（例えば、４ｍｓ）以前の（干渉測定リソースを含む）実際に使用可能なサブフレームであってもよい。このような場合、実際に使用可能な干渉測定リソースを含むサブフレームと用途変更されたサブフレームとが時間上で遠く離れていると、正確なチャネル状況（及び／又は干渉状況）を保障できないという問題点がある。
【０１９２】
このため、時間領域（Ｔｉｍｅ  Ｄｏｍａｉｎ）でチャネル状況及び／又は干渉状況が類似すると仮定できるような時間区間（Ｔｉｍｅ  Ｗｉｎｄｏｗ）を設定し、用途変更されたサブフレームから当該時間区間内に属するとともに実際に使用可能な干渉測定リソースを含むサブフレームを用いて干渉を測定し、チャネル状態情報報告に反映することができる。ここで、当該時間区間（Ｔｉｍｅ  Ｗｉｎｄｏｗ）内に干渉測定用途として使用可能なサブフレームが存在しないか或いは有効な干渉測定リソースが存在しない場合、上述したとおり、チャネル状態報告を省略してもよく、特定値として固定されたチャネル状態を報告してもよい。
【０１９３】
非周期的（Ａｐｅｒｉｏｄｉｃ）チャネル状態情報報告の場合にも、上述した周期的チャネル状態情報報告方式を適用することができる。この場合にも同様、チャネル状態情報報告を省略する場合には、当該チャネル状態情報報告に用いられる電力（Ｐｏｗｅｒ）を０に設定し、その余分の電力を上りリンクデータチャネル（ＰＵＳＣＨ）送信に用いることができる。或いは、上りリンクデータチャネル上の（非周期的／周期的）チャネル状態報告に用いられるリソースを、上りリンクデータ送信に（再）利用することもできる。
【０１９４】
本発明では、さらに、干渉／信号測定（Ｍｅａｓｕｒｅｍｅｎｔ）を行うべきリソースの有効性（Ｖａｌｉｄｉｔｙ）を判別する方法を提案する。
【０１９５】
例えば、端末のチャネル状態情報（ＣＳＩ）報告のためのＣＳＩ−ＲＳ設定（ＣＳＩ−ＲＳ  Ｃｏｎｆｉｇｕｒａｔｉｏｎ）関連情報、ＩＭＲ設定（ＩＭＲ  Ｃｏｎｆｉｇｕｒａｔｉｏｎ）関連情報、チャネル状態推定プロセス（ＣＳＩ  Ｐｒｏｃｅｓｓ）情報、或いはＲｅｓｔｒｉｃｔｅｄ ＣＳＩ Ｍｅａｓｕｒｅｍｅｎｔ情報の少なくとも一つは、ＲＲＣシグナルを用いて基地局が端末に知らせることができる。一方、無線リソース用途の動的変更は、事前に定義されたＭＡＣシグナル或いは物理的チャネルシグナル（例えば、ＰＤＣＣＨ或いはＥＰＤＣＣＨ上で送信されるＤＣＩ）に基づくことができる。このような場合、一つの干渉／信号測定関連情報（例えば、Ｍｅａｓｕｒｅｍｅｎｔ  Ｃｏｎｆｉｇｕｒａｔｉｏｎ  Ｉｎｆｏｒｍａｔｉｏｎ）がＲＲＣシグナルされ、当該測定関連情報が（再）設定されるまでの期間において複数のサブフレーム用途変更がありうる。すなわち、ＲＲＣシグナリングによって干渉／信号測定リソースと指定されたサブフレームの用途が変わることがあり、これは、チャネル状態情報報告において混乱をもたらしうる。
【０１９６】
そこで、本発明では、サブフレーム用途変更のためのＭＡＣシグナル（或いは、物理的チャネルシグナル）を受けた端末は、当該シグナルを受信したサブフレームからあらかじめ定められた個数のサブフレーム後に当該シグナルが実際に適用されると仮定し、これに基づいて干渉／信号測定リソースの有効性（Ｖａｌｉｄｉｔｙ）を判断することができる。例えば、ＳＦ ＃ｎでサブフレーム用途変更のためのシグナルを受信する場合に、ＳＦ ＃（ｎ＋８）で当該シグナルが実際に適用されると仮定することができ、これに基づいて干渉／信号測定リソースの有効性を判断することができる。
【０１９７】
ここで、サブフレーム用途変更のためのシグナルを受信したサブフレームと当該シグナルが実際に適用されるサブフレームとの間（以下、「トランジエント区間（Ｔｒａｎｓｉｅｎｔ Ｐｅｒｉｏｄ）」という。）に存在する干渉／信号測定サブフレーム（或いは、測定リソース）（すなわち、このサブフレーム内の特定リソース（例えば、ＣＳＩ−ＲＳ、ＩＭＲ）上で干渉／信号測定を行うことができる。）は、次のように仮定することができる。すなわち、本発明で、「トランジエント区間」は、サブフレーム用途変更／再変更のための情報（例えば、メッセージ）を受信した時点から当該サブフレーム用途変更／再変更情報（例えば、メッセージ）が実際に適用される時点までの区間を意味する。以下では、説明の便宜のために「トランジエント区間」をＳＦ ＃ｎ〜ＳＦ ＃（ｎ＋７）と仮定する。すなわち、ＳＦ ＃ｎでサブフレーム用途変更のためのシグナル（例えば、ＭＡＣシグナル或いは物理的チャネルシグナル）を受信する場合に、ＳＦ ＃（ｎ＋８）から当該シグナル（或いは、当該シグナルの内容）が実際に適用されるとを仮定する。
【０１９８】
下りリンクサブフレームが上りリンクサブフレームに変更される場合
−  特定チャネル状態情報報告に対する干渉／信号測定リソースが「トランジエント区間」内に存在したり或いは以前に存在する場合、これに対応するチャネル状態情報報告は、干渉／信号測定リソースが有効だと仮定し、当該干渉／信号測定リソースから導出されたチャネル状態情報を報告することができる。
【０１９９】
−  特定チャネル状態情報報告に対する干渉／信号測定リソースが「トランジエント区間」以降に存在し、当該干渉／信号測定リソースを含むサブフレームの用途が下りリンクから上りリンクに変更された場合、当該干渉／信号測定リソースは有効でないと仮定し、チャネル状態情報報告を省略したり或いは事前に定義された特定値（例えば、あらかじめ定められた値或いは最も最近の有効な（干渉／信号）測定リソースから導出した干渉／信号測定値によって計算されたチャネル状態情報）に基づいてチャネル状態情報報告を行うこともできる。
【０２００】
上りリンクサブフレームが下りリンクサブフレームに変更される場合
−  一般に、上りリンクサブフレームが下りリンクサブフレームに変更された場合には、干渉／信号測定リソースに対する曖昧さ（Ａｍｂｉｇｕｉｔｙ）がないことから、特別な仮定は必要でない。しかし、該当の上りリンクサブフレーム（すなわち、上りリンクから下りリンク用途に変更されるサブフレーム）が干渉／信号測定用途ではなくチャネル状態情報報告時点として指定された場合には、上述の場合（すなわち、下りリンクサブフレームが上りリンクサブフレームに変更される場合）と同様、「トランジエント区間」以降には当該チャネル状態情報報告が省略され、「トランジエント区間」内では当該チャネル状態情報報告を行うことができる。
【０２０１】
−  一方、干渉／信号測定リソース（及び／又は、チャネル状態情報報告のための設定情報）などを知らせるＲＲＣシグナリングが（再）設定されていない状態で、ＭＡＣシグナル（或いは、物理的チャネルシグナル）によるサブフレーム用途変更が頻繁に発生する場合には、干渉／信号測定リソースを含むサブフレームが上りリンクサブフレームに用途変更（すなわち、第１トランジエント区間）され、再び下りリンクサブフレームに用途変更（すなわち、第２トランジエント区間）される場合が発生しうる。ここで、干渉／信号測定リソースを含むサブフレームが用途変更される場合に、（時間）領域別に（或いは、事前に定義された規則によって）当該サブフレームが干渉／信号測定用途として有効か否かを判断することができる。
【０２０２】
図１９は、本発明に係る実施例を示す図である。図１９で、特定の一つのサブフレームの用途が変更される観点で、該サブフレームに設定された干渉／信号測定リソースがどの時点で有効であるかを示す。また、無線リソース用途変更シグナリングが事前に定義された周期（すなわち、２０ｍｓ）に基づいて送／受信されると仮定する。図１９では、有効でない干渉／信号測定サブフレーム（Ｉｎｖａｌｉｄ  Ｍｅａｓｕｒｅｍｅｎｔ  Ｓｕｂｆｒａｍｅ）内に干渉／信号測定リソースがＲＲＣシグナリングによって設定され、ＭＡＣシグナル（或いは、物理的チャネルシグナル）によって当該サブフレームに対する用途変更（例えば、下りリンクから上りリンク用途に変更）が指示される場合に、当該サブフレームを干渉／信号測定用途に用いることができないことを示している。
【０２０３】
また、図１９で、有効でない干渉／信号測定サブフレーム領域に属するサブフレームであっても、当該サブフレームが下りリンクから上りリンクに用途変更されない場合、当該サブフレームを干渉／信号測定用途に用いることができる。例えば、ＳＩＢによって下りリンク用途に設定され、ＲＲＣシグナリングによって干渉／信号測定リソースを含むサブフレームが、干渉／信号測定用途に用いられてもよいか否かは、当該サブフレームの用途を下りリンクから上りリンクに変更するＭＡＣシグナル／物理的シグナルとＭＡＣシグナル／物理的チャネルシグナルが（実際に）適用されるサブフレーム時点によって決定されてもよく、物理的チャネルシグナルと物理的チャネルシグナルが（実際に）適用されるサブフレーム時点などによって決定されてもよい。
【０２０４】
又は、本発明で、端末がＳＦ ＃ｎでチャネル状態情報（ＣＳＩ）報告を行う場合、ＳＦ ＃（ｎ−ｋ）（例えば「ｋ＝４」）を含めて以前に存在する最初の干渉／信号測定リソース（或いは、チャネル状態情報参照リソース、ＣＳＩ  Ｒｅｆｅｒｅｎｃｅ  Ｒｅｓｏｕｒｃｅ）が有効でないと（例えば、下りリンクから上りリンクに用途変更）、当該サブフレームに対する干渉／信号測定を行わなくてもよい。例えば、有効でない当該干渉／信号測定リソース（或いは、チャネル状態情報参照リソース）によって導出されるチャネル状態情報報告を省略することができる。或いは、事前に定義された特定値或いは最も最近に有効な（干渉／信号）測定リソースから導出した干渉／信号測定値によって計算されたチャネル状態情報、或いは最も最近に（或いは、以前時点に）報告した（有効な）チャネル状態情報のいずれかを送信してもよい。
【０２０５】
上述した本発明の実施例では、ＭＡＣシグナル或いは物理的チャネルシグナルによってサブフレームの用途変更が指示される環境下で、特定チャネル状態情報報告のための干渉／信号測定リソースが干渉／信号測定用途として有効か否かを判断する。その後、当該干渉／信号測定リソースに対するそれぞれのチャネル状態情報報告（例えば、ＲＩ、ＣＱＩ、ＰＭＩ（Ｗ１（Ｌｏｎｇ−Ｔｅｒｍ ＰＭＩ）、Ｗ２（Ｓｈｏｒｔ−Ｔｅｒｍ ＰＭＩ））など）には、本発明の実施例を（再）適用することができる。また、干渉／信号測定リソースが有効でない場合には、干渉／信号測定を行わず、当該干渉／信号測定リソースに対応するチャネル状態情報報告は省略されるように設定したり、或いは事前に定義された特定値或いは最も最近に有効な干渉／信号測定リソースから導出した干渉／信号測定値によって計算されたチャネル状態情報、或いは最も最近に（或いは、以前時点に）報告した（有効な）チャネル状態情報を送信するように設定することもできる。
【０２０６】
上述した本発明の実施例において事前に定義された一定区間（Ｉｎｔｅｒｆｅｒｅｎｃｅ  Ａｖｅｒａｇｅ  Ｔｉｍｅ  Ｄｏｍａｉｎ  Ｗｉｎｄｏｗ）上の干渉測定リソース（ＩＭＲ）を平均化して干渉量を導出するとき、当該干渉平均化動作が行われる区間内に、干渉測定リソースを含む（下りリンク）サブフレームが全て上りリンク用途に変更される場合にのみ、チャネル状態情報（ＣＳＩ）報告（及び／又は、チャネル状態推定プロセス）関連干渉測定リソースが有効でないと判断されるように設定することができる。例えば、干渉測定リソースだけでなく、チャネル状態報告（及び／又は、チャネル状態推定プロセス）も有効でないと判断されてもよい。このような本発明の実施例は、事前に定義された一定区間（Ｔｉｍｅ  Ｄｏｍａｉｎ  Ｗｉｎｄｏｗ）における信号測定（Ｓｉｇｎａｌ  Ｍｅａｓｕｒｅｍｅｎｔ）用途のリソース（例えば、下りリンクサブフレーム上の特定参照信号（例えば、ＣＲＳ、ＣＳＩ−ＲＳ））を用いて信号測定値を導出する場合、或いは事前に定義された一定区間（Ｓｉｇｎａｌ  Ａｖｅｒａｇｅ  Ｔｉｍｅ  Ｄｏｍａｉｎ  Ｗｉｎｄｏｗ）における信号測定用途のリソースを平均化して信号測定値を導出する場合に、当該区間内に、信号測定用途のリソースを含む（下りリンク）サブフレームが全て上りリンク用途に変更される状況においても拡張して適用可能である。
【０２０７】
また、本発明において、チャネル状態情報報告のタイプによって異なった有効なチャネル状態情報参照リソース（ＣＳＩ  Ｒｅｆｅｒｅｎｃｅ  Ｒｅｓｏｕｒｃｅ）が決定されるように設定することもできる。例えば、周期的（Ｐｅｒｉｏｄｉｃ）チャネル状態情報報告の場合には、有効なチャネル状態情報参照リソースがＳＩＢ情報上の下りリンクサブフレーム或いは代表下りリンクＨＡＲＱタイムライン（或いは、代表上りリンクＨＡＲＱタイムライン）と連動した上りリンク−下りリンク設定上の下りリンクサブフレームと定義又は限定されるように設定することができる。
【０２０８】
すなわち、周期的チャネル状態情報報告の場合には、相対的に（半）静的であると見なされる上りリンク−下りリンク設定（例えば、ＳＩＢ上の上りリンク−下りリンク設定、代表下りリンクＨＡＲＱタイムライン（或いは、代表上りリンクＨＡＲＱタイムライン）と連動した上りリンク−下りリンク設定）上の下りリンクサブフレーム、或いは当該上りリンク−下りリンク設定と連動した下りリンクＨＡＲＱタイムライン上の下りリンクサブフレームを、有効なチャネル状態情報参照リソースと見なすことができる。同様に、周期的チャネル状態情報報告の場合には、相対的に長い時間（Ｌｏｎｇ−Ｔｅｒｍ）変更されないと見なされる上りリンク−下りリンク設定上の下りリンクサブフレーム、或いは当該上りリンク−下りリンク設定と連動した下りリンクＨＡＲＱタイムライン上の下りリンクサブフレームを、有効なチャネル状態情報参照リソースと見なすこともできる。
【０２０９】
ここで、本発明が適用される場合に、周期的チャネル状態情報報告は、主に、（半）静的なサブフレーム（或いは、用途変更されないサブフレーム）に対するチャネル状態情報報告のために設定することができる。また、周期的チャネル状態情報報告のための有効なチャネル状態情報参照リソースの位置は、無線リソース用途の動的変更動作に相対的に影響を受けないか独立していてもよい。
【０２１０】
また、周期的チャネル状態情報報告のために本発明が適用されると、端末の具現（Ｉｍｐｌｅｍｅｎｔａｔｉｏｎ）或いはチャネル状態情報報告の一貫性（Ｃｏｎｓｉｓｔｅｎｃｙ）維持に効果的である。例えば、周期的チャネル状態情報関連ＲＩ情報とＰＭＩ情報／ＣＱＩ情報とが異なった時点に報告されるように設定される場合に、ＲＩ情報関連の有効なチャネル状態情報参照リソースとしては、（半）静的な用途の（或いは、用途変更されない）下りリンクサブフレームが指定され、ＰＭＩ情報／ＣＱＩ情報関連の有効なチャネル状態情報参照リソースとしては、用途変更される下りリンクサブフレーム（例えば、Ｃ＿ＳＦ或いは流動（Ｆｌｅｘｉｂｌｅ）サブフレーム）が指定されることから、周期的チャネル状態情報報告の一貫性が維持されないことがあり、本発明は、このような問題点を解消することができる。
【０２１１】
また、周期的チャネル状態情報報告の場合には、有効なチャネル状態情報参照リソースが、ＳＩＢ情報上の下りリンクサブフレームのうち、現在下りリンク用途に設定されたサブフレーム、或いは代表下りリンクＨＡＲＱタイムライン（或いは、代表上りリンクＨＡＲＱタイムライン）と連動した上りリンク−下りリンク設定上の下りリンクサブフレームのうち、現在下りリンク用途に設定されたサブフレームと定義又は限定されるように設定することもできる。
【０２１２】
他の例示として、非周期的（Ａｐｅｒｉｏｄｉｃ）チャネル状態情報報告の場合には、有効なチャネル状態情報参照リソースが、無線リソース用途の動的変更メッセージ（Ｒｅｃｏｎｆｉｇｕｒａｔｉｏｎ  Ｍｅｓｓａｇｅ）上の下りリンクサブフレームと定義されたり限定されるように設定することができる。すなわち、用途変更されるサブフレーム（例えば、Ｃ＿ＳＦ或いは流動サブフレーム）が無線リソース用途の動的変更メッセージによって下りリンク用途に（再）設定される場合、これを有効なチャネル状態情報参照リソースと見なすことができる。
【０２１３】
更に他の例として、ｉ）チャネル状態推定プロセス（ＣＳＩ  Ｐｒｏｃｅｓｓ）、及び／又はii）Ｒｅｓｔｒｉｃｔｅｄ ＣＳＩ Ｍｅａｓｕｒｅｍｅｎｔ（或いは、Ｒｅｓｏｕｒｃｅ−Ｓｐｅｃｉｆｉｃ  ＣＳＩ  Ｍｅａｓｕｒｅｍｅｎｔ）関連サブフレーム集合、及び／又はiii ）チャネル状態情報報告のタイプ（例えば、周期的チャネル状態情報報告、非周期的チャネル状態情報報告）などによって、有効なチャネル状態情報参照リソース（ＣＳＩ  Ｒｅｆｅｒｅｎｃｅ  Ｒｅｓｏｕｒｃｅ）或いは有効な干渉測定リソース（ＩＭＲ）の少なくとも一つが定義される下りリンクサブフレームのための上りリンク−下りリンク設定（ＵＬ−ＤＬ  Ｃｏｎｆｉｇｕｒａｔｉｏｎ）が独立して（或いは、異なるように）指定されるように設定することができる。
【０２１４】
搬送波集成技法（Ｃａｒｒｉｅｒ  Ａｇｇｒｅｇａｔｉｏｎ）が適用された環境下で、（無線リソース用途の動的変更モードが設定された）ＳＣｅｌｌ（或いは、Ｓｃｈｅｄｕｌｅｄ  Ｃｅｌｌ）の、ｉ）チャネル状態推定プロセス（ＣＳＩ Ｐｒｏｃｅｓｓ）個数設定、及び／又はii）Ｒｅｓｔｒｉｃｔｅｄ ＣＳＩ Ｍｅａｓｕｒｅｍｅｎｔ（或いは、Ｒｅｓｏｕｒｃｅ−Ｓｐｅｃｉｆｉｃ ＣＳＩ Ｍｅａｓｕｒｅｍｅｎｔ）関連サブフレーム集合設定情報（例えば、特定サブフレーム集合を構成するサブフレーム位置）、及び／又はiii ）干渉測定リソース（ＩＭＲ）設定情報などは、（無線リソース用途の動的変更モードが設定された）ＰＣｅｌｌ（或いは、Ｓｃｈｅｄｕｌｉｎｇ  Ｃｅｌｌ）の設定情報と同一に仮定されるように設定することができる。
【０２１５】
例えば、このような実施例が適用される場合、基地局は端末に、（無線リソース用途の動的変更モードが設定された）ＰＣｅｌｌ（或いは、Ｓｃｈｅｄｕｌｉｎｇ  Ｃｅｌｌ）の、ｉ）チャネル状態推定プロセス（ＣＳＩ  Ｐｒｏｃｅｓｓ）個数設定、及び／又はii）Ｒｅｓｔｒｉｃｔｅｄ ＣＳＩ Ｍｅａｓｕｒｅｍｅｎｔ（或いは、Ｒｅｓｏｕｒｃｅ−Ｓｐｅｃｉｆｉｃ  ＣＳＩ  Ｍｅａｓｕｒｅｍｅｎｔ）関連サブフレーム集合設定情報（例えば、特定集合を構成するサブフレーム位置）、及び／又はiii ）干渉測定リソース（ＩＭＲ）設定情報などのみを、事前に定義されたシグナル（例えば、ＲＲＣシグナル）を用いて知らせ、（無線リソース用途の動的変更モードが設定された）ＰＣｅｌｌ（或いは、Ｓｃｈｅｄｕｌｉｎｇ  Ｃｅｌｌ）に関連した情報を受信した端末は、（無線リソース用途の動的変更モードが設定された）ＳＣｅｌｌ（或いは、Ｓｃｈｅｄｕｌｅｄ  Ｃｅｌｌ）に対しても同一に適用することとなる。
【０２１６】
また、搬送波集成技法が適用された環境下で（無線リソース用途の動的変更モードが設定された）ＳＣｅｌｌ（或いは、Ｓｃｈｅｄｕｌｅｄ  Ｃｅｌｌ）のサブフレーム集合依存のアップリンク電力制御（ｓｕｂｆｒａｍｅ−ｓｅｔ  ｄｅｐｅｎｄｅｎｔ  ｕｐｌｉｎｋ  ｐｏｗｅｒ  ｃｏｎｔｒｏｌ）関連上りリンクサブフレーム集合設定情報（例えば、特定上りリンクサブフレーム集合を構成する上りリンクサブフレーム位置）は、（無線リソース用途の動的変更モードが設定された）ＰＣｅｌｌ（或いは、Ｓｃｈｅｄｕｌｉｎｇ  Ｃｅｌｌ）の設定情報と同一に仮定されるように設定することもできる。例えば、基地局は端末に、（無線リソース用途の動的変更モードが設定された）ＰＣｅｌｌ（或いは、Ｓｃｈｅｄｕｌｉｎｇ  Ｃｅｌｌ）のサブフレーム集合依存のアップリンク電力制御関連上りリンクサブフレーム集合設定情報（例えば、特定上りリンクサブフレーム集合を構成する上りリンクサブフレーム位置）のみを、事前に定義されたシグナル（例えば、ＲＲＣシグナル）を用いて知らせ、（無線リソース用途の動的変更モードが設定された）ＰＣｅｌｌ（或いは、Ｓｃｈｅｄｕｌｉｎｇ  Ｃｅｌｌ）に関連した情報を受信した端末は、（無線リソース用途の動的変更モードが設定された）ＳＣｅｌｌ（或いは、Ｓｃｈｅｄｕｌｅｄ  Ｃｅｌｌ）に対しても同一に適用することができる。
【０２１７】
また、アイドル（ＩＤＬＥ）モードにある端末は、特定セルに対する、ｉ）ＲＲＭ／ＲＬＭ／ＣＳＩ測定動作、又は／及びii）特定セル関連用途変更情報の受信動作、又は／及びiii ）用途変更指示子の受信動作、iv）又は／及びランダムアクセス（Ｒａｎｄｏｍ  Ａｃｃｅｓｓ）関連メッセージ受信動作を、事前に定義された特定下りリンクサブフレーム（例えば、ＰＳＳ／ＳＳＳ／ＰＢＣＨ／ＰＡＧＩＮＧ／ＳＩＢなどの送信によって用途変更できない下りリンクサブフレーム集合（例えば、ＳＦ ＃０、＃１、＃５、＃６））でのみ限定的に行うように設定することができる。
【０２１８】
また、アイドルモードにある端末は、特定セルに対する、ｉ）ＲＲＭ／ＲＬＭ／ＣＳＩ測定動作、又は／及びii）特定セル関連用途変更情報の受信動作、又は／及びiii ）用途変更指示子の受信動作、iv）又は／及びランダムアクセス（Ｒａｎｄｏｍ  Ａｃｃｅｓｓ）関連メッセージ送／受信動作を、ＳＩＢ上の上りリンク−下りリンク設定（ＵＬ−ＤＬ  Ｃｏｎｆｉｇｕｒａｔｉｏｎ）に基づいて行うように設定することもできる。
【０２１９】
また、アイドルモードにある端末が特定セルのＲＲＣ接続（ＲＲＣ  ＣＯＮＮＥＣＴＥＤ）モードに進入したとしても、当該セルから用途変更情報或いは用途変更指示子を（独立して）受信しないと、同様に、ｉ）事前に定義された特定下りリンクサブフレーム（例えば、ＰＳＳ／ＳＳＳ／ＰＢＣＨなどの送信によって用途変更できない下りリンクサブフレーム集合（例えば、ＳＦ ＃０、＃１、＃５、＃６））、或いはii）ＳＩＢ上の下りリンクサブフレーム上の下りリンクサブフレーム、或いはiii ）ＳＩＢ情報ベースの上りリンク−下りリンク設定（ＵＬ−ＤＬ  Ｃｏｎｆｉｇｕｒａｔｉｏｎ）上の下りリンクサブフレームでのみ限定的に、制御情報（（Ｅ）ＰＤＣＣＨ））関連モニタリング（ブラインドデコーディング）動作或いはデータ（ＰＤＳＣＨ）受信動作を行うように設定することができる。ここで、本発明が適用される場合に、基地局と端末は、事前に定義された下りリンク／上りリンクＨＡＲＱタイムライン或いはＳＩＢ情報ベースの下りリンク／上りリンクＨＡＲＱタイムラインを仮定するように設定することもできる。
【０２２０】
上述した本発明の実施例は、無線リソース用途の動的変更モードが設定（Ｃｏｎｆｉｇｕｒａｔｉｏｎ）された場合にのみ限定的に適用されるように設定することができる。また、上述した本発明の実施例は、無線リソース用途変更情報がＭＡＣシグナル或いは物理的チャネルシグナルだけでなく、事前に定義されたシステム情報伝送チャネル（例えば、ＳＩＢ、ＰＢＣＨ（ＭＩＢ）、ＰＡＧＩＮＧ）を介して送信されるように設定された場合でも拡張して適用可能である。
【０２２１】
上述した本発明における提案方式に関する様々な例も、本発明の具現方法の一つとして含み得ることから、一種の提案方式と見なしてもよいことは明らかである。また、以上説明した提案方式は、独立して具現されてもよいが、一部の提案方式の組合せ（或いは、併合）の形態で具現されてもよい。
【０２２２】
上述した本発明の実施例は、ｉ）事前に定義された個数のチャネル状態推定プロセスが設定された場合、及び／又はii）Ｒｅｓｔｒｉｃｔｅｄ ＣＳＩ Ｍｅａｓｕｒｅｍｅｎｔ（或いは、Ｒｅｓｏｕｒｃｅ−Ｓｐｅｃｉｆｉｃ  ＣＳＩ  Ｍｅａｓｕｒｅｍｅｎｔ）が設定された場合、及び／又はiii ）特定チャネル状態情報報告のタイプ（例えば、周期的チャネル状態情報報告、非周期的チャネル状態情報報告）が設定された場合、iv）及び／又は特定送信モード（ＴＭ）が設定された場合、及び／又はｖ）特定上りリンク−下りリンク設定（ＵＬ−ＤＬ  Ｃｏｎｆｉｇｕｒａｔｉｏｎ）が設定された場合にのみ限定的に適用されるように設定することもできる。
【０２２３】
図２０は、本発明の実施例に適用可能な基地局及びユーザ機器を例示する図である。無線通信システムにリレーが含まれる場合、バックホールリンクでは基地局とリレー間に通信がなされ、アクセスリンクではリレーとユーザ機器間に通信がなされる。したがって、図中の基地局又はユーザ機器は、状況に応じてリレーに取り替えることができる。
【０２２４】
図２０を参照すると、無線通信システムは、基地局（ＢＳ）１１０及びユーザ機器（ＵＥ）１２０を備える。基地局１１０は、プロセッサ１１２、メモリ１１４及び無線周波数（Ｒａｄｉｏ  Ｆｒｅｑｕｅｎｃｙ、ＲＦ）ユニット１１６を備える。プロセッサ１１２は、本発明で提案した手順及び／又は方法を具現するように構成することができる。メモリ１１４は、プロセッサ１１２と接続され、プロセッサ１１２の動作と関連した様々な情報を記憶する。ＲＦユニット１１６は、プロセッサ１１２と接続され、無線信号を送信及び／又は受信する。ユーザ機器１２０は、プロセッサ１２２、メモリ１２４及びＲＦユニット１２６を備える。プロセッサ１２２は、本発明で提案した手順及び／又は方法を具現するように構成することができる。メモリ１２４は、プロセッサ１２２と接続され、プロセッサ１２２の動作と関連した様々な情報を記憶する。ＲＦユニット１２６は、プロセッサ１２２と接続され、無線信号を送信及び／又は受信する。基地局１１０及び／又はユーザ機器１２０は、単一アンテナ又は多重アンテナを有することができる。
【０２２５】
以上に説明した実施例は、本発明の構成要素と特徴を所定の形態で結合したものである。各構成要素又は特徴は、別の明示的な言及がない限り、選択的なものとして考慮しなければならない。各構成要素又は特徴は、他の構成要素や特徴と結合していない形態で実施することができる。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、他の実施例の対応する構成又は特徴に取って代わってもよい。特許請求の範囲で明示的な引用関係にない請求項を結合して実施例を構成したり、出願後の補正によって新しい請求項として含めたりできることは明らかである。
【０２２６】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２２７】
ファームウェアやソフトウェアによる具現の場合、本発明の一実施例は、以上で説明した機能又は動作を実行するモジュール、手順、関数などの形態として具現することができる。ソフトウェアコードはメモリユニットに記憶され、プロセッサによって駆動されてもよい。メモリユニットは、プロセッサの内部又は外部に設けられ、既に公知の様々な手段によってプロセッサとデータを交換することができる。
【０２２８】
本発明は、本発明の特徴から逸脱しない範囲で他の特定の形態として具体化されてもよいことは当業者には自明である。このため、上記の詳細な説明は、いずれの面においても制限的に解釈されてはならず、例示的なものとして考慮されなければならない。本発明の範囲は、添付した請求項の合理的な解釈によって決定されなければならず、本発明の等価的な範囲内における変更はいずれも本発明の範囲に含まれる。
【産業上の利用可能性】
【０２２９】
上述したような無線通信システムにおいて無線リソース情報を共有する方法及びそのための装置は、３ＧＰＰ ＬＴＥシステムに適用される例を中心に説明したが、３ＧＰＰ ＬＴＥシステムの他にも、様々な無線通信システムに適用することができる。
【図１】
2019080355.tif 000005
【図２】
2019080355.tif 000006
【図３】
2019080355.tif 000007
【図４】
2019080355.tif 000008
【図５】
2019080355.tif 000009
【図６】
2019080355.tif 000010
【図７】
2019080355.tif 000011
【図８】
2019080355.tif 000012
【図９】
2019080355.tif 000013
【図１０】
2019080355.tif 000014
【図１１】
2019080355.tif 000015
【図１２】
2019080355.tif 000016
【図１３】
2019080355.tif 000017
【図１４】
2019080355.tif 000018
【図１５】
2019080355.tif 000019
【図１６】
2019080355.tif 000020
【図１７】
2019080355.tif 000021
【図１８】
2019080355.tif 000022
【図１９】
2019080355.tif 000023
【図２０】
2019080355.tif 000024
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
無線リソースの用途変更を支援する無線通信システムにおける端末（ＵＥ）がチャネル状態情報（Ｃｈａｎｎｅｌ  Ｓｔａｔｅ  Ｉｎｆｏｒｍａｔｉｏｎ：ＣＳＩ）を報告する方法であって、
前記無線リソースの動的な用途変更に対する信号を受信するステップと、
前記信号に対応するＣＳＩ参照リソースに基づいて前記ＣＳＩを測定するステップと、
基地局（ＢＳ）に前記ＣＳＩを報告するステップとを含み、
前記ＣＳＩ参照リソースは第１ＣＳＩ測定リソース集合と第２ＣＳＩ測定リソース集合を含み、前記第１ＣＳＩ測定リソース集合は固定無線リソース用途を有する複数の第１無線リソースを含み、前記第２ＣＳＩ測定リソース集合は固定無線リソース用途を有する複数の第２無線リソースを含む、方法。
【請求項２】
前記第１ＣＳＩ測定リソース集合と前記第２ＣＳＩ測定リソース集合は異なるチャネル状態推定プロセスと関連する、請求項１に記載の方法。
【請求項３】
前記ＣＳＩは、ランク指示子、チャネル品質指示子、プロコーディングマトリクスインデックスの少なくとも一つを含む、請求項１に記載の方法。
【請求項４】
前記チャネル状態推定プロセスはＲＲＣシグナリングを介して設定され、
前記無線リソースの用途変更に対する前記信号はＭＡＣ信号又は物理チャネル信号を介して設定される、請求項２に記載の方法。
【請求項５】
無線リソースの用途変更を支援する無線通信システムにおいてチャネル状態情報（Ｃｈａｎｎｅｌ  Ｓｔａｔｅ  Ｉｎｆｏｒｍａｔｉｏｎ：ＣＳＩ）を報告する端末（ＵＥ）であって、
送信機と、
受信機と、
プロセッサとを備え、
前記プロセッサは、
前記無線リソースの動的な用途変更に対する信号を受信し、
前記信号に対応するＣＳＩ参照リソースに基づいて前記ＣＳＩを測定し、
基地局（ＢＳ）に前記ＣＳＩを報告するように構成され、
前記ＣＳＩ参照リソースは第１ＣＳＩ測定リソース集合と第２ＣＳＩ測定リソース集合を含み、前記第１ＣＳＩ測定リソース集合は固定無線リソース用途を有する複数の第１無線リソースを含み、前記第２ＣＳＩ測定リソース集合は固定無線リソース用途を有する複数の第２無線リソースを含む、端末。
【請求項６】
前記第１ＣＳＩ測定リソース集合と前記第２ＣＳＩ測定リソース集合は異なるチャネル状態推定プロセスと関連する、請求項５に記載の端末。
【請求項７】
前記ＣＳＩは、ランク指示子、チャネル品質指示子、プロコーディングマトリクスインデックスの少なくとも一つを含む、請求項５に記載の端末。
【請求項８】
前記チャネル状態推定プロセスはＲＲＣシグナリングを介して設定され、
前記無線リソースの用途変更に対する前記信号はＭＡＣ信号又は物理チャネル信号を介して設定される、請求項６に記載の端末。